【事件の表示】
　特願２００９−２２２４７８「トゲのないワイヤロープの玉掛索製造方法及びトゲのないワイヤロープの玉掛索」拒絶査定不服審判事件〔平成２３年　４月　７日出願公開、特開２０１１−　６８４７４〕について、次のとおり審決する。
【結　論】
　本件審判の請求は、成り立たない。
【理　由】
第１　手続の経緯
　本件出願は、平成２１年９月２８日の出願であって、平成２５年９月２０日付けで拒絶の理由が通知され、その後、平成２６年２月７日付けで拒絶査定がされ、これに対して平成２６年５月１２日に拒絶査定不服審判が請求されると同時に明細書及び特許請求の範囲について補正する手続補正書が提出され、さらに、平成２６年９月２９日付けで上申書が提出されたものである。
第２　平成２６年５月１２日付けの手続補正についての補正の却下の決定
［補正の却下の決定の結論］
　平成２６年５月１２日付けの手続補正を却下する。
［理由］
〔１〕本件補正の内容
　平成２６年５月１２日付けの手続補正（以下、「本件補正」という。）は、特許請求の範囲に関しては、本件補正により補正される前の（すなわち、本件出願の願書に最初に添付された特許請求の範囲の請求項１ないし１２に記載された）下記の（Ａ）に示す請求項１ないし１２を、下記の（Ｂ）に示す請求項１ないし２２と補正するものである。
（Ａ）本件補正前の特許請求の範囲の請求項１ないし１２
「【請求項１】
　予め折り曲げられたワイヤロープ本体の自由端をストランド毎にばらばらに解舒してワイヤロープ先端部分に６組の束ストランドに形成する束ストランド形成工程と、
　束ストランド形成工程終了後に、ワイヤロープのループ部基端とすべき位置において、撚られた各ストランドの間に６組の束ストランドをそれぞれ別々にワイヤロープの撚り方向と同じ方向又は逆の方向に差し込んでワイヤロープ周面から突出させる編み込み作業を複数回行う巻差し又はかご差しの何れか一方の第１編み込み工程と、
　第１編み込み工程終了後に、撚られた各ストランドの間に差し込んだ前記６組の束ストランドをそれぞれ別々にワイヤロープの撚り方向と同じ方向又は逆の方向に差し込んでワイヤロープ周面から突出させる編み込み作業を行う巻差し又はかご差しの何れか一方の第２編み込み工程と、
　第２編み込み工程終了後に、突出した６組の各束ストランドの先端を更にそれぞれ２組の細束に分別し第１細束と第２細束として１２組の細束ストランドを形成する細束ストランド形成工程と、
　細束ストランド形成工程終了後に、第１細束よりなる６組の細束ストランドの突出先端を切断する第１細束切断工程と、
　第１細束切断工程終了後に、切断した第１細束である６組の細束ストランドの先端をワイヤロープの撚り束ストランドの中心に形成された芯部領域中心に押込む第１細束先端押込み工程と、
　第１細束先端押込み工程終了後に、第２細束よりなる６組の細束ストランドをワイヤロープの撚られた各ストランドの間にワイヤロープの撚り方向と同じ方向又は逆の方向に差し込んでワイヤロープ周面から突出させる編み込み作業を複数回行う巻差し又はかご差しの何れか一方の第３半差し編み込み工程と、
　第３半差し編み込み工程終了後に、突出した第２細束たる６組の各細束ストランドの突出先端を切断する第２細束切断工程と、
　第２細束切断工程終了後に、切断した第２細束たる６組の細束ストランドの先端を、２組或は３組ずつ束ねてワイヤロープの撚りストランドの中心の芯部領域の空隙中に押込む第２細束先端押込み工程とよりなる
　ことを特徴とするトゲのないワイヤロープの玉掛索製造方法。
【請求項２】
　第１編み込み工程は、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しを行う工程よりなり、
　第２編み込み工程は、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しを行う工程よりなり、
　第３半差し編み込み工程は、第２細束よりなる６組の細束ストランドをワイヤロープの撚られた各ストランドの間にワイヤロープの撚り方向と同じ方向に差し込んでワイヤロープ周面から突出させる編み込み作業を複数回行う巻差しを行う工程よりなる
　ことを特徴とする請求項１に記載のトゲのないワイヤロープの玉掛索製造方法。
【請求項３】
　第１編み込み工程は、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しを行う工程よりなり、
　第２編み込み工程は、撚られた各ストランドの間に差し込んだ前記６組の束ストランドをそれぞれ別々にワイヤロープの撚り方向と逆の方向に差し込んでワイヤロープ周面から突出させる編み込み作業を行うかご差しを行う工程よりなり、
　第３半差し編み込み工程は、第２細束よりなる６組の細束ストランドをワイヤロープの撚られた各ストランドの間にワイヤロープの撚り方向と同じ方向に差し込んでワイヤロープ周面から突出させる編み込み作業を複数回行う巻差しを行う工程よりなる
　ことを特徴とする請求項１に記載のトゲのないワイヤロープの玉掛索製造方法。
【請求項４】
　第１編み込み工程は、ワイヤロープのループ部基端とすべき位置において、撚られた各ストランドの間に６組の束ストランドをそれぞれ別々にワイヤロープの撚り方向と同じ方向に差し込んでワイヤロープ周面から突出させる編み込み作業を複数回行う巻差しを行う工程よりなり、
　第２編み込み工程は、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しを行う工程よりなり、
　第３半差し編み込み工程は、第２細束よりなる６組の細束ストランドをワイヤロープの撚られた各ストランドの間にワイヤロープの撚り方向と逆の方向に差し込んでワイヤロープ周面から突出させる編み込み作業を複数回行うかご差しを行う工程よりなる
　ことを特徴とする請求項１に記載のトゲのないワイヤロープの玉掛索製造方法。
【請求項５】
　第１編み込み工程は、ワイヤロープのループ部基端とすべき位置において、撚られた各ストランドの間に６組の束ストランドをそれぞれ別々にワイヤロープの撚り方向と同じ方向に差し込んでワイヤロープ周面から突出させる編み込み作業を複数回行う巻差しを行う工程よりなり、
　第２編み込み工程は、撚られた各ストランドの間に差し込んだ前記６組の束ストランドをそれぞれ別々にワイヤロープの撚り方向と逆の方向に差し込んでワイヤロープ周面から突出させる編み込み作業を行うかご差しを行う工程よりなり、
　第３半差し編み込み工程は、第２細束よりなる６組の細束ストランドをワイヤロープの撚られた各ストランドの間にワイヤロープの撚り方向と同じ方向に差し込んでワイヤロープ周面から突出させる編み込み作業を複数回行う巻差しを行う工程よりなる
　ことを特徴とする請求項１に記載のトゲのないワイヤロープの玉掛索製造方法。
【請求項６】
　第１編み込み工程は、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しを行う工程よりなり、
　第２編み込み工程は、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しを行う工程よりなり、
　第３半差し編み込み工程は、第２細束よりなる６組の細束ストランドをワイヤロープの撚られた各ストランドの間にワイヤロープの撚り方向と逆の方向に差し込んでワイヤロープ周面から突出させる編み込み作業を複数回行うかご差しを行う工程よりなる
　ことを特徴とする請求項１に記載のトゲのないワイヤロープの玉掛索製造方法。
【請求項７】
　第１編み込み工程は、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しを行う工程よりなり、
　第２編み込み工程は、撚られた各ストランドの間に差し込んだ前記６組の束ストランドをそれぞれ別々にワイヤロープの撚り方向と逆の方向に差し込んでワイヤロープ周面から突出させる編み込み作業を行うかご差しを行う工程よりなり、
　第３半差し編み込み工程は、第２細束よりなる６組の細束ストランドをワイヤロープの撚られた各ストランドの間にワイヤロープの撚り方向と逆の方向に差し込んでワイヤロープ周面から突出させる編み込み作業を複数回行うかご差しを行う工程よりなる
　ことを特徴とする請求項１に記載のトゲのないワイヤロープの玉掛索製造方法。
【請求項８】
　第１編み込み工程は、ワイヤロープのループ部基端とすべき位置において、撚られた各ストランドの間に６組の束ストランドをそれぞれ別々にワイヤロープの撚り方向と同じ方向に差し込んでワイヤロープ周面から突出させる編み込み作業を複数回行う巻差しを行う工程よりなり、
　第２編み込み工程は、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しを行う工程よりなり、
　第３半差し編み込み工程は、第２細束よりなる６組の細束ストランドをワイヤロープの撚られた各ストランドの間にワイヤロープの撚り方向と同じ方向に差し込んでワイヤロープ周面から突出させる編み込み作業を複数回行う巻差しを行う工程よりなる
　ことを特徴とする請求項１に記載のトゲのないワイヤロープの玉掛索製造方法。
【請求項９】
　細束ストランド形成工程は、突出した６組の各束ストランドの先端を更に２組の束に分割し、第１細束と第２細束とし、合計で１２組の細束ストランドを形成する工程よりなる
　ことを特徴とする請求項１〜８の何れか１項に記載のトゲのないワイヤロープの玉掛索製造方法。
【請求項１０】
　細束ストランド形成工程は、突出した６組の各束ストランドの先端を第１細束としての内層線と第２細束としての外層線とに分別して１２組の細束ストランドを形成する工程よりなる
　ことを特徴とする請求項１〜８の何れか１項に記載のトゲのないワイヤロープの玉掛索製造方法。
【請求項１１】
　細束ストランド形成工程は、突出した６組の各束ストランドの先端を第２細束としての内層線と第１細束としての外層線とに分別して１２組の細束ストランドを形成する工程よりなる
　ことを特徴とする請求項１〜８の何れか１項に記載のトゲのないワイヤロープの玉掛索製造方法。
【請求項１２】
　請求項１〜１１の何れか１項に記載のトゲのないワイヤロープの玉掛索製造方法により製造したトゲのないワイヤロープの玉掛索。」
（Ｂ）本件補正後の特許請求の範囲の請求項１ないし２２
「　【請求項１】
　予め折り曲げられたワイヤロープ本体の自由端をストランド毎にばらばらに解舒してワイヤロープ先端部分に６組の束ストランドに形成する束ストランド形成工程と、
　束ストランド形成工程終了後に、ワイヤロープのループ部基端とすべき位置において、撚られた各ストランドの間に６組の束ストランドをそれぞれ別々にワイヤロープの撚り方向
と逆
うか
しの
　第１編み込み工程終了後に、撚られた各ストランドの間に差し込んだ前記６組の束ストランドをそれぞれ別々にワイヤロープの撚り方向と同じ方
向に
しの
　第２編み込み工程終了後に、突出した６組の各束ストランドの先端を更にそれぞれ２組の細束に
分割し、
し、合計で
　細束ストランド形成工程終了後に、第１細束よりなる６組の細束ストランドの突出先端を切断する第１細束切断工程と、
　第１細束切断工程終了後に、切断した第１細束である６組の細束ストランドの先端をワイヤロープの撚り束ストランドの中心に形成された芯部領域中心に押込む第１細束先端押込み工程と、
　第１細束先端押込み工程終了後に、第２細束よりなる６組の細束ストランドをワイヤロープの撚られた各ストランドの間にワイヤロープの撚り方向と同じ方
向に
しの
　第３半差し編み込み工程終了後に、突出した第２細束たる６組の各細束ストランドの突出先端を切断する第２細束切断工程と、
　第２細束切断工程終了後に、切断した第２細束たる６組の細束ストランドの先端を、２組或は３組ずつ束ねてワイヤロープの撚りストランドの中心の芯部領域の空隙中に押込む第２細束先端押込み工程とよりなる
　ことを特徴とするトゲのないワイヤロープの玉掛索製造方法。
　　【請求項２】
　予
め折り曲げられたワイヤロープ本体の自由端をストランド毎にばらばらに解舒してワイヤロープ先端部分に６組の束ストランドに形成する束ストランド形成工程と、
　束ストランド形成工程終了後に、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しの第１編み込み工程と、
　第１編み込み工程終了後に、撚られた各ストランドの間に差し込んだ前記６組の束ストランドをそれぞれ別々にワイヤロープの撚り方向と逆の方向に差し込んでワイヤロープ周面から突出させる編み込み作業を行うかご差しの第２編み込み工程と、
　第２編み込み工程終了後に、突出した６組の各束ストランドの先端を更にそれぞれ２組の細束に分割し、第１細束と第２細束とし、合計で１２組の細束ストランドを形成する細束ストランド形成工程と、
　細束ストランド形成工程終了後に、第１細束よりなる６組の細束ストランドの突出先端を切断する第１細束切断工程と、
　第１細束切断工程終了後に、切断した第１細束である６組の細束ストランドの先端をワイヤロープの撚り束ストランドの中心に形成された芯部領域中心に押込む第１細束先端押込み工程と、
　第１細束先端押込み工程終了後に、第２細束よりなる６組の細束ストランドをワイヤロープの撚られた各ストランドの間にワイヤロープの撚り方向と同じ方向に差し込んでワイヤロープ周面から突出させる編み込み作業を複数回行う巻差しの第３半差し編み込み工程と、
　第３半差し編み込み工程終了後に、突出した第２細束たる６組の各細束ストランドの突出先端を切断する第２細束切断工程と、
　第２細束切断工程終了後に、切断した第２細束たる６組の細束ストランドの先端を、２組或は３組ずつ束ねてワイヤロープの撚りストランドの中心の芯部領域の空隙中に押込む第２細束先端押込み工程とよりなる
　ことを特徴とするトゲのないワイヤロープの玉掛索製造方法。
　　【請求項３】
　
予め折り曲げられたワイヤロープ本体の自由端をストランド毎にばらばらに解舒してワイヤロープ先端部分に６組の束ストランドに形成する束ストランド形成工程と、
　束ストランド形成工程終了後に、ワイヤロープのループ部基端とすべき位置において、撚られた各ストランドの間に６組の束ストランドをそれぞれ別々にワイヤロープの撚り方向と同じ方向に差し込んでワイヤロープ周面から突出させる編み込み作業を複数回行う巻差しの第１編み込み工程と、
　第１編み込み工程終了後に、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しの第２編み込み工程と、
　第２編み込み工程終了後に、突出した６組の各束ストランドの先端を更にそれぞれ２組の細束に分割し、第１細束と第２細束とし、合計で１２組の細束ストランドを形成する細束ストランド形成工程と、
　細束ストランド形成工程終了後に、第１細束よりなる６組の細束ストランドの突出先端を切断する第１細束切断工程と、
　第１細束切断工程終了後に、切断した第１細束である６組の細束ストランドの先端をワイヤロープの撚り束ストランドの中心に形成された芯部領域中心に押込む第１細束先端押込み工程と、
　第１細束先端押込み工程終了後に、第２細束よりなる６組の細束ストランドをワイヤロープの撚られた各ストランドの間にワイヤロープの撚り方向と逆の方向に差し込んでワイヤロープ周面から突出させる編み込み作業を複数回行うかご差しの第３半差し編み込み工程と、
　第３半差し編み込み工程終了後に、突出した第２細束たる６組の各細束ストランドの突出先端を切断する第２細束切断工程と、
　第２細束切断工程終了後に、切断した第２細束たる６組の細束ストランドの先端を、２組或は３組ずつ束ねてワイヤロープの撚りストランドの中心の芯部領域の空隙中に押込む第２細束先端押込み工程とよりなる
　ことを特徴とするトゲのないワイヤロープの玉掛索製造方法。
　　【請求項４】
　
予め折り曲げられたワイヤロープ本体の自由端をストランド毎にばらばらに解舒してワイヤロープ先端部分に６組の束ストランドに形成する束ストランド形成工程と、
　束ストランド形成工程終了後に、ワイヤロープのループ部基端とすべき位置において、撚られた各ストランドの間に６組の束ストランドをそれぞれ別々にワイヤロープの撚り方向と同じ方向に差し込んでワイヤロープ周面から突出させる編み込み作業を複数回行う巻差しの第１編み込み工程と、
　第１編み込み工程終了後に、撚られた各ストランドの間に差し込んだ前記６組の束ストランドをそれぞれ別々にワイヤロープの撚り方向と逆の方向に差し込んでワイヤロープ周面から突出させる編み込み作業を行うかご差しの第２編み込み工程と、
　第２編み込み工程終了後に、突出した６組の各束ストランドの先端を更にそれぞれ２組の細束に分割し、第１細束と第２細束とし、合計で１２組の細束ストランドを形成する細束ストランド形成工程と、
　細束ストランド形成工程終了後に、第１細束よりなる６組の細束ストランドの突出先端を切断する第１細束切断工程と、
　第１細束切断工程終了後に、切断した第１細束である６組の細束ストランドの先端をワイヤロープの撚り束ストランドの中心に形成された芯部領域中心に押込む第１細束先端押込み工程と、
　第１細束先端押込み工程終了後に、第２細束よりなる６組の細束ストランドをワイヤロープの撚られた各ストランドの間にワイヤロープの撚り方向と同じ方向に差し込んでワイヤロープ周面から突出させる編み込み作業を複数回行う巻差しの第３半差し編み込み工程と、
　第３半差し編み込み工程終了後に、突出した第２細束たる６組の各細束ストランドの突出先端を切断する第２細束切断工程と、
　第２細束切断工程終了後に、切断した第２細束たる６組の細束ストランドの先端を、２組或は３組ずつ束ねてワイヤロープの撚りストランドの中心の芯部領域の空隙中に押込む第２細束先端押込み工程とよりなる
　ことを特徴とするトゲのないワイヤロープの玉掛索製造方法。
　　【請求項５】
　
予め折り曲げられたワイヤロープ本体の自由端をストランド毎にばらばらに解舒してワイヤロープ先端部分に６組の束ストランドに形成する束ストランド形成工程と、
　束ストランド形成工程終了後に、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しの第１編み込み工程と、
　第１編み込み工程終了後に、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しの第２編み込み工程と、
　第２編み込み工程終了後に、突出した６組の各束ストランドの先端を更にそれぞれ２組の細束に分割し、第１細束と第２細束とし、合計で１２組の細束ストランドを形成する細束ストランド形成工程と、
　細束ストランド形成工程終了後に、第１細束よりなる６組の細束ストランドの突出先端を切断する第１細束切断工程と、
　第１細束切断工程終了後に、切断した第１細束である６組の細束ストランドの先端をワイヤロープの撚り束ストランドの中心に形成された芯部領域中心に押込む第１細束先端押込み工程と、
　第１細束先端押込み工程終了後に、第２細束よりなる６組の細束ストランドをワイヤロープの撚られた各ストランドの間にワイヤロープの撚り方向と逆の方向に差し込んでワイヤロープ周面から突出させる編み込み作業を複数回行うかご差しの第３半差し編み込み工程と、
　第３半差し編み込み工程終了後に、突出した第２細束たる６組の各細束ストランドの突出先端を切断する第２細束切断工程と、
　第２細束切断工程終了後に、切断した第２細束たる６組の細束ストランドの先端を、２組或は３組ずつ束ねてワイヤロープの撚りストランドの中心の芯部領域の空隙中に押込む第２細束先端押込み工程とよりなる
　ことを特徴とするトゲのないワイヤロープの玉掛索製造方法。
　　【請求項６】
　
予め折り曲げられたワイヤロープ本体の自由端をストランド毎にばらばらに解舒してワイヤロープ先端部分に６組の束ストランドに形成する束ストランド形成工程と、
　束ストランド形成工程終了後に、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しの第１編み込み工程と、
　第１編み込み工程終了後に、撚られた各ストランドの間に差し込んだ前記６組の束ストランドをそれぞれ別々にワイヤロープの撚り方向と逆の方向に差し込んでワイヤロープ周面から突出させる編み込み作業を行うかご差しの第２編み込み工程と、
　第２編み込み工程終了後に、突出した６組の各束ストランドの先端を更にそれぞれ２組の細束に分割し、第１細束と第２細束とし、合計で１２組の細束ストランドを形成する細束ストランド形成工程と、
　細束ストランド形成工程終了後に、第１細束よりなる６組の細束ストランドの突出先端を切断する第１細束切断工程と、
　第１細束切断工程終了後に、切断した第１細束である６組の細束ストランドの先端をワイヤロープの撚り束ストランドの中心に形成された芯部領域中心に押込む第１細束先端押込み工程と、
　第１細束先端押込み工程終了後に、第２細束よりなる６組の細束ストランドをワイヤロープの撚られた各ストランドの間にワイヤロープの撚り方向と逆の方向に差し込んでワイヤロープ周面から突出させる編み込み作業を複数回行うかご差しの第３半差し編み込み工程と、
　第３半差し編み込み工程終了後に、突出した第２細束たる６組の各細束ストランドの突出先端を切断する第２細束切断工程と、
　第２細束切断工程終了後に、切断した第２細束たる６組の細束ストランドの先端を、２組或は３組ずつ束ねてワイヤロープの撚りストランドの中心の芯部領域の空隙中に押込む第２細束先端押込み工程とよりなる
　ことを特徴とするトゲのないワイヤロープの玉掛索製造方法。
　　【請求項７】
　
予め折り曲げられたワイヤロープ本体の自由端をストランド毎にばらばらに解舒してワイヤロープ先端部分に６組の束ストランドに形成する束ストランド形成工程と、
　束ストランド形成工程終了後に、ワイヤロープのループ部基端とすべき位置において、撚られた各ストランドの間に６組の束ストランドをそれぞれ別々にワイヤロープの撚り方向と同じ方向に差し込んでワイヤロープ周面から突出させる編み込み作業を複数回行う巻差しの第１編み込み工程と、
　第１編み込み工程終了後に、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しの第２編み込み工程と、
　第２編み込み工程終了後に、突出した６組の各束ストランドの先端を更にそれぞれ２組の細束に分割し、第１細束と第２細束とし、合計で１２組の細束ストランドを形成する細束ストランド形成工程と、
　細束ストランド形成工程終了後に、第１細束よりなる６組の細束ストランドの突出先端を切断する第１細束切断工程と、
　第１細束切断工程終了後に、切断した第１細束である６組の細束ストランドの先端をワイヤロープの撚り束ストランドの中心に形成された芯部領域中心に押込む第１細束先端押込み工程と、
　第１細束先端押込み工程終了後に、第２細束よりなる６組の細束ストランドをワイヤロープの撚られた各ストランドの間にワイヤロープの撚り方向と同じ方向に差し込んでワイヤロープ周面から突出させる編み込み作業を複数回行う巻差しの第３半差し編み込み工程と、
　第３半差し編み込み工程終了後に、突出した第２細束たる６組の各細束ストランドの突出先端を切断する第２細束切断工程と、
　第２細束切断工程終了後に、切断した第２細束たる６組の細束ストランドの先端を、２組或は３組ずつ束ねてワイヤロープの撚りストランドの中心の芯部領域の空隙中に押込む第２細束先端押込み工程とよりなる
　ことを特徴とするトゲのないワイヤロープの玉掛索製造方法。
　　【請求項８】
　
予め折り曲げられたワイヤロープ本体の自由端をストランド毎にばらばらに解舒してワイヤロープ先端部分に６組の束ストランドに形成する束ストランド形成工程と、
　束ストランド形成工程終了後に、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しの第１編み込み工程と、
　第１編み込み工程終了後に、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しの第２編み込み工程と、
　第２編み込み工程終了後に、突出した６組の各束ストランドの先端を更にそれぞれ２組の細束に分割し、第１細束としての内層線と第２細束としての外層線とし、合計で１２組の細束ストランドを形成する細束ストランド形成工程と、
　細束ストランド形成工程終了後に、第１細束としての内層線よりなる６組の細束ストランドの突出先端を切断する第１細束切断工程と、
　第１細束切断工程終了後に、切断した第１細束としての内層線である６組の細束ストランドの先端をワイヤロープの撚り束ストランドの中心に形成された芯部領域中心に押込む第１細束先端押込み工程と、
　第１細束先端押込み工程終了後に、第２細束としての外層線よりなる６組の細束ストランドをワイヤロープの撚られた各ストランドの間にワイヤロープの撚り方向と同じ方向に差し込んでワイヤロープ周面から突出させる編み込み作業を複数回行う巻差しの第３半差し編み込み工程と、
　第３半差し編み込み工程終了後に、突出した第２細束としての外層線たる６組の各細束ストランドの突出先端を切断する第２細束切断工程と、
　第２細束切断工程終了後に、切断した第２細束としての外層線たる６組の細束ストランドの先端を、２組或は３組ずつ束ねてワイヤロープの撚りストランドの中心の芯部領域の空隙中に押込む第２細束先端押込み工程とよりなる
　ことを特徴とするトゲのないワイヤロープの玉掛索製造方法。
　　【請求項９】
　
予め折り曲げられたワイヤロープ本体の自由端をストランド毎にばらばらに解舒してワイヤロープ先端部分に６組の束ストランドに形成する束ストランド形成工程と、
　束ストランド形成工程終了後に、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しの第１編み込み工程と、
　第１編み込み工程終了後に、撚られた各ストランドの間に差し込んだ前記６組の束ストランドをそれぞれ別々にワイヤロープの撚り方向と逆の方向に差し込んでワイヤロープ周面から突出させる編み込み作業を行うかご差しの第２編み込み工程と、
　第２編み込み工程終了後に、突出した６組の各束ストランドの先端を更にそれぞれ２組の細束に分割し、第１細束としての内層線と第２細束としての外層線とし、合計で１２組の細束ストランドを形成する細束ストランド形成工程と、
　細束ストランド形成工程終了後に、第１細束としての内層線よりなる６組の細束ストランドの突出先端を切断する第１細束切断工程と、
　第１細束切断工程終了後に、切断した第１細束としての内層線である６組の細束ストランドの先端をワイヤロープの撚り束ストランドの中心に形成された芯部領域中心に押込む第１細束先端押込み工程と、
　第１細束先端押込み工程終了後に、第２細束としての外層線よりなる６組の細束ストランドをワイヤロープの撚られた各ストランドの間にワイヤロープの撚り方向と同じ方向に差し込んでワイヤロープ周面から突出させる編み込み作業を複数回行う巻差しの第３半差し編み込み工程と、
　第３半差し編み込み工程終了後に、突出した第２細束としての外層線たる６組の各細束ストランドの突出先端を切断する第２細束切断工程と、
　第２細束切断工程終了後に、切断した第２細束としての外層線たる６組の細束ストランドの先端を、２組或は３組ずつ束ねてワイヤロープの撚りストランドの中心の芯部領域の空隙中に押込む第２細束先端押込み工程とよりなる
　ことを特徴とするトゲのないワイヤロープの玉掛索製造方法。
　　【請求項１０】
　
予め折り曲げられたワイヤロープ本体の自由端をストランド毎にばらばらに解舒してワイヤロープ先端部分に６組の束ストランドに形成する束ストランド形成工程と、
　束ストランド形成工程終了後に、ワイヤロープのループ部基端とすべき位置において、撚られた各ストランドの間に６組の束ストランドをそれぞれ別々にワイヤロープの撚り方向と同じ方向に差し込んでワイヤロープ周面から突出させる編み込み作業を複数回行う巻差しの第１編み込み工程と、
　第１編み込み工程終了後に、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しの第２編み込み工程と、
　第２編み込み工程終了後に、突出した６組の各束ストランドの先端を更にそれぞれ２組の細束に分割し、第１細束としての内層線と第２細束としての外層線とし、合計で１２組の細束ストランドを形成する細束ストランド形成工程と、
　細束ストランド形成工程終了後に、第１細束としての内層線よりなる６組の細束ストランドの突出先端を切断する第１細束切断工程と、
　第１細束切断工程終了後に、切断した第１細束としての内層線である６組の細束ストランドの先端をワイヤロープの撚り束ストランドの中心に形成された芯部領域中心に押込む第１細束先端押込み工程と、
　第１細束先端押込み工程終了後に、第２細束としての外層線よりなる６組の細束ストランドをワイヤロープの撚られた各ストランドの間にワイヤロープの撚り方向と逆の方向に差し込んでワイヤロープ周面から突出させる編み込み作業を複数回行うかご差しの第３半差し編み込み工程と、
　第３半差し編み込み工程終了後に、突出した第２細束としての外層線たる６組の各細束ストランドの突出先端を切断する第２細束切断工程と、
　第２細束切断工程終了後に、切断した第２細束としての外層線たる６組の細束ストランドの先端を、２組或は３組ずつ束ねてワイヤロープの撚りストランドの中心の芯部領域の空隙中に押込む第２細束先端押込み工程とよりなる
　ことを特徴とするトゲのないワイヤロープの玉掛索製造方法。
　　【請求項１１】
　
予め折り曲げられたワイヤロープ本体の自由端をストランド毎にばらばらに解舒してワイヤロープ先端部分に６組の束ストランドに形成する束ストランド形成工程と、
　束ストランド形成工程終了後に、ワイヤロープのループ部基端とすべき位置において、撚られた各ストランドの間に６組の束ストランドをそれぞれ別々にワイヤロープの撚り方向と同じ方向に差し込んでワイヤロープ周面から突出させる編み込み作業を複数回行う巻差しの第１編み込み工程と、
　第１編み込み工程終了後に、撚られた各ストランドの間に差し込んだ前記６組の束ストランドをそれぞれ別々にワイヤロープの撚り方向と逆の方向に差し込んでワイヤロープ周面から突出させる編み込み作業を行うかご差しの第２編み込み工程と、
　第２編み込み工程終了後に、突出した６組の各束ストランドの先端を更にそれぞれ２組の細束に分割し、第１細束としての内層線と第２細束としての外層線とし、合計で１２組の細束ストランドを形成する細束ストランド形成工程と、
　細束ストランド形成工程終了後に、第１細束としての内層線よりなる６組の細束ストランドの突出先端を切断する第１細束切断工程と、
　第１細束切断工程終了後に、切断した第１細束としての内層線である６組の細束ストランドの先端をワイヤロープの撚り束ストランドの中心に形成された芯部領域中心に押込む第１細束先端押込み工程と、
　第１細束先端押込み工程終了後に、第２細束としての外層線よりなる６組の細束ストランドをワイヤロープの撚られた各ストランドの間にワイヤロープの撚り方向と同じ方向に差し込んでワイヤロープ周面から突出させる編み込み作業を複数回行う巻差しの第３半差し編み込み工程と、
　第３半差し編み込み工程終了後に、突出した第２細束としての外層線たる６組の各細束ストランドの突出先端を切断する第２細束切断工程と、
　第２細束切断工程終了後に、切断した第２細束としての外層線たる６組の細束ストランドの先端を、２組或は３組ずつ束ねてワイヤロープの撚りストランドの中心の芯部領域の空隙中に押込む第２細束先端押込み工程とよりなる
　ことを特徴とするトゲのないワイヤロープの玉掛索製造方法。
　　【請求項１２】
　
予め折り曲げられたワイヤロープ本体の自由端をストランド毎にばらばらに解舒してワイヤロープ先端部分に６組の束ストランドに形成する束ストランド形成工程と、
　束ストランド形成工程終了後に、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しの第１編み込み工程と、
　第１編み込み工程終了後に、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しの第２編み込み工程と、
　第２編み込み工程終了後に、突出した６組の各束ストランドの先端を更にそれぞれ２組の細束に分割し、第１細束としての内層線と第２細束としての外層線とし、合計で１２組の細束ストランドを形成する細束ストランド形成工程と、
　細束ストランド形成工程終了後に、第１細束としての内層線よりなる６組の細束ストランドの突出先端を切断する第１細束切断工程と、
　第１細束切断工程終了後に、切断した第１細束としての内層線である６組の細束ストランドの先端をワイヤロープの撚り束ストランドの中心に形成された芯部領域中心に押込む第１細束先端押込み工程と、
　第１細束先端押込み工程終了後に、第２細束としての外層線よりなる６組の細束ストランドをワイヤロープの撚られた各ストランドの間にワイヤロープの撚り方向と逆の方向に差し込んでワイヤロープ周面から突出させる編み込み作業を複数回行うかご差しの第３半差し編み込み工程と、
　第３半差し編み込み工程終了後に、突出した第２細束としての外層線たる６組の各細束ストランドの突出先端を切断する第２細束切断工程と、
　第２細束切断工程終了後に、切断した第２細束としての外層線たる６組の細束ストランドの先端を、２組或は３組ずつ束ねてワイヤロープの撚りストランドの中心の芯部領域の空隙中に押込む第２細束先端押込み工程とよりなる
　ことを特徴とするトゲのないワイヤロープの玉掛索製造方法。
　　【請求項１３】
　
予め折り曲げられたワイヤロープ本体の自由端をストランド毎にばらばらに解舒してワイヤロープ先端部分に６組の束ストランドに形成する束ストランド形成工程と、
　束ストランド形成工程終了後に、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しの第１編み込み工程と、
　第１編み込み工程終了後に、撚られた各ストランドの間に差し込んだ前記６組の束ストランドをそれぞれ別々にワイヤロープの撚り方向と逆の方向に差し込んでワイヤロープ周面から突出させる編み込み作業を行うかご差しの第２編み込み工程と、
　第２編み込み工程終了後に、突出した６組の各束ストランドの先端を更にそれぞれ２組の細束に分割し、第１細束としての内層線と第２細束としての外層線とし、合計で１２組の細束ストランドを形成する細束ストランド形成工程と、
　細束ストランド形成工程終了後に、第１細束としての内層線よりなる６組の細束ストランドの突出先端を切断する第１細束切断工程と、
　第１細束切断工程終了後に、切断した第１細束としての内層線である６組の細束ストランドの先端をワイヤロープの撚り束ストランドの中心に形成された芯部領域中心に押込む第１細束先端押込み工程と、
　第１細束先端押込み工程終了後に、第２細束としての外層線よりなる６組の細束ストランドをワイヤロープの撚られた各ストランドの間にワイヤロープの撚り方向と逆の方向に差し込んでワイヤロープ周面から突出させる編み込み作業を複数回行うかご差しの第３半差し編み込み工程と、
　第３半差し編み込み工程終了後に、突出した第２細束としての外層線たる６組の各細束ストランドの突出先端を切断する第２細束切断工程と、
　第２細束切断工程終了後に、切断した第２細束としての外層線たる６組の細束ストランドの先端を、２組或は３組ずつ束ねてワイヤロープの撚りストランドの中心の芯部領域の空隙中に押込む第２細束先端押込み工程とよりなる
　ことを特徴とするトゲのないワイヤロープの玉掛索製造方法。
　　【請求項１４】
　
予め折り曲げられたワイヤロープ本体の自由端をストランド毎にばらばらに解舒してワイヤロープ先端部分に６組の束ストランドに形成する束ストランド形成工程と、
　束ストランド形成工程終了後に、ワイヤロープのループ部基端とすべき位置において、撚られた各ストランドの間に６組の束ストランドをそれぞれ別々にワイヤロープの撚り方向と同じ方向に差し込んでワイヤロープ周面から突出させる編み込み作業を複数回行う巻差しの第１編み込み工程と、
　第１編み込み工程終了後に、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しの第２編み込み工程と、
　第２編み込み工程終了後に、突出した６組の各束ストランドの先端を更にそれぞれ２組の細束に分割し、第１細束としての内層線と第２細束としての外層線とし、合計で１２組の細束ストランドを形成する細束ストランド形成工程と、
　細束ストランド形成工程終了後に、第１細束としての内層線よりなる６組の細束ストランドの突出先端を切断する第１細束切断工程と、
　第１細束切断工程終了後に、切断した第１細束としての内層線である６組の細束ストランドの先端をワイヤロープの撚り束ストランドの中心に形成された芯部領域中心に押込む第１細束先端押込み工程と、
　第１細束先端押込み工程終了後に、第２細束としての外層線よりなる６組の細束ストランドをワイヤロープの撚られた各ストランドの間にワイヤロープの撚り方向と同じ方向に差し込んでワイヤロープ周面から突出させる編み込み作業を複数回行う巻差しの第３半差し編み込み工程と、
　第３半差し編み込み工程終了後に、突出した第２細束としての外層線たる６組の各細束ストランドの突出先端を切断する第２細束切断工程と、
　第２細束切断工程終了後に、切断した第２細束としての外層線たる６組の細束ストランドの先端を、２組或は３組ずつ束ねてワイヤロープの撚りストランドの中心の芯部領域の空隙中に押込む第２細束先端押込み工程とよりなる
　ことを特徴とするトゲのないワイヤロープの玉掛索製造方法。
　　【請求項１５】
　
予め折り曲げられたワイヤロープ本体の自由端をストランド毎にばらばらに解舒してワイヤロープ先端部分に６組の束ストランドに形成する束ストランド形成工程と、
　束ストランド形成工程終了後に、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しの第１編み込み工程と、
　第１編み込み工程終了後に、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しの第２編み込み工程と、
　第２編み込み工程終了後に、突出した６組の各束ストランドの先端を更にそれぞれ２組の細束に分割し、第１細束としての外層線と第２細束としての内層線とし、合計で１２組の細束ストランドを形成する細束ストランド形成工程と、
　細束ストランド形成工程終了後に、第１細束としての外層線よりなる６組の細束ストランドの突出先端を切断する第１細束切断工程と、
　第１細束切断工程終了後に、切断した第１細束としての外層線である６組の細束ストランドの先端をワイヤロープの撚り束ストランドの中心に形成された芯部領域中心に押込む第１細束先端押込み工程と、
　第１細束先端押込み工程終了後に、第２細束としての内層線よりなる６組の細束ストランドをワイヤロープの撚られた各ストランドの間にワイヤロープの撚り方向と同じ方向に差し込んでワイヤロープ周面から突出させる編み込み作業を複数回行う巻差しの第３半差し編み込み工程と、
　第３半差し編み込み工程終了後に、突出した第２細束としての内層線たる６組の各細束ストランドの突出先端を切断する第２細束切断工程と、
　第２細束切断工程終了後に、切断した第２細束としての内層線たる６組の細束ストランドの先端を、２組或は３組ずつ束ねてワイヤロープの撚りストランドの中心の芯部領域の空隙中に押込む第２細束先端押込み工程とよりなる
　ことを特徴とするトゲのないワイヤロープの玉掛索製造方法。
　　【請求項１６】
　
予め折り曲げられたワイヤロープ本体の自由端をストランド毎にばらばらに解舒してワイヤロープ先端部分に６組の束ストランドに形成する束ストランド形成工程と、
　束ストランド形成工程終了後に、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しの第１編み込み工程と、
　第１編み込み工程終了後に、撚られた各ストランドの間に差し込んだ前記６組の束ストランドをそれぞれ別々にワイヤロープの撚り方向と逆の方向に差し込んでワイヤロープ周面から突出させる編み込み作業を行うかご差しの第２編み込み工程と、
　第２編み込み工程終了後に、突出した６組の各束ストランドの先端を更にそれぞれ２組の細束に分割し、第１細束としての外層線と第２細束としての内層線とし、合計で１２組の細束ストランドを形成する細束ストランド形成工程と、
　細束ストランド形成工程終了後に、第１細束としての外層線よりなる６組の細束ストランドの突出先端を切断する第１細束切断工程と、
　第１細束切断工程終了後に、切断した第１細束としての外層線である６組の細束ストランドの先端をワイヤロープの撚り束ストランドの中心に形成された芯部領域中心に押込む第１細束先端押込み工程と、
　第１細束先端押込み工程終了後に、第２細束としての内層線よりなる６組の細束ストランドをワイヤロープの撚られた各ストランドの間にワイヤロープの撚り方向と同じ方向に差し込んでワイヤロープ周面から突出させる編み込み作業を複数回行う巻差しの第３半差し編み込み工程と、
　第３半差し編み込み工程終了後に、突出した第２細束としての内層線たる６組の各細束ストランドの突出先端を切断する第２細束切断工程と、
　第２細束切断工程終了後に、切断した第２細束としての内層線たる６組の細束ストランドの先端を、２組或は３組ずつ束ねてワイヤロープの撚りストランドの中心の芯部領域の空隙中に押込む第２細束先端押込み工程とよりなる
　ことを特徴とするトゲのないワイヤロープの玉掛索製造方法。
　　【請求項１７】
　
予め折り曲げられたワイヤロープ本体の自由端をストランド毎にばらばらに解舒してワイヤロープ先端部分に６組の束ストランドに形成する束ストランド形成工程と、
　束ストランド形成工程終了後に、ワイヤロープのループ部基端とすべき位置において、撚られた各ストランドの間に６組の束ストランドをそれぞれ別々にワイヤロープの撚り方向と同じ方向に差し込んでワイヤロープ周面から突出させる編み込み作業を複数回行う巻差しの第１編み込み工程と、
　第１編み込み工程終了後に、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しの第２編み込み工程と、
　第２編み込み工程終了後に、突出した６組の各束ストランドの先端を更にそれぞれ２組の細束に分割し、第１細束としての外層線と第２細束としての内層線とし、合計で１２組の細束ストランドを形成する細束ストランド形成工程と、
　細束ストランド形成工程終了後に、第１細束としての外層線よりなる６組の細束ストランドの突出先端を切断する第１細束切断工程と、
　第１細束切断工程終了後に、切断した第１細束としての外層線である６組の細束ストランドの先端をワイヤロープの撚り束ストランドの中心に形成された芯部領域中心に押込む第１細束先端押込み工程と、
　第１細束先端押込み工程終了後に、第２細束としての内層線よりなる６組の細束ストランドをワイヤロープの撚られた各ストランドの間にワイヤロープの撚り方向と逆の方向に差し込んでワイヤロープ周面から突出させる編み込み作業を複数回行うかご差しの第３半差し編み込み工程と、
　第３半差し編み込み工程終了後に、突出した第２細束としての内層線たる６組の各細束ストランドの突出先端を切断する第２細束切断工程と、
　第２細束切断工程終了後に、切断した第２細束としての内層線たる６組の細束ストランドの先端を、２組或は３組ずつ束ねてワイヤロープの撚りストランドの中心の芯部領域の空隙中に押込む第２細束先端押込み工程とよりなる
　ことを特徴とするトゲのないワイヤロープの玉掛索製造方法。
　　【請求項１８】
　
予め折り曲げられたワイヤロープ本体の自由端をストランド毎にばらばらに解舒してワイヤロープ先端部分に６組の束ストランドに形成する束ストランド形成工程と、
 束ストランド形成工程終了後に、ワイヤロープのループ部基端とすべき位置において、撚られた各ストランドの間に６組の束ストランドをそれぞれ別々にワイヤロープの撚り方向と同じ方向に差し込んでワイヤロープ周面から突出させる編み込み作業を複数回行う巻差しの第１編み込み工程と、
　第１編み込み工程終了後に、撚られた各ストランドの間に差し込んだ前記６組の束ストランドをそれぞれ別々にワイヤロープの撚り方向と逆の方向に差し込んでワイヤロープ周面から突出させる編み込み作業を行うかご差しの第２編み込み工程と、
　第２編み込み工程終了後に、突出した６組の各束ストランドの先端を更にそれぞれ２組の細束に分割し、第１細束としての外層線と第２細束としての内層線とし、合計で１２組の細束ストランドを形成する細束ストランド形成工程と、
　細束ストランド形成工程終了後に、第１細束としての外層線よりなる６組の細束ストランドの突出先端を切断する第１細束切断工程と、
　第１細束切断工程終了後に、切断した第１細束としての外層線である６組の細束ストランドの先端をワイヤロープの撚り束ストランドの中心に形成された芯部領域中心に押込む第１細束先端押込み工程と、
　第１細束先端押込み工程終了後に、第２細束としての内層線よりなる６組の細束ストランドをワイヤロープの撚られた各ストランドの間にワイヤロープの撚り方向と同じ方向に差し込んでワイヤロープ周面から突出させる編み込み作業を複数回行う巻差しの第３半差し編み込み工程と、
　第３半差し編み込み工程終了後に、突出した第２細束としての内層線たる６組の各細束ストランドの突出先端を切断する第２細束切断工程と、
　第２細束切断工程終了後に、切断した第２細束としての内層線たる６組の細束ストランドの先端を、２組或は３組ずつ束ねてワイヤロープの撚りストランドの中心の芯部領域の空隙中に押込む第２細束先端押込み工程とよりなる
　ことを特徴とするトゲのないワイヤロープの玉掛索製造方法。
　　【請求項１９】
　
予め折り曲げられたワイヤロープ本体の自由端をストランド毎にばらばらに解舒してワイヤロープ先端部分に６組の束ストランドに形成する束ストランド形成工程と、
　束ストランド形成工程終了後に、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しの第１編み込み工程と、
　第１編み込み工程終了後に、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しの第２編み込み工程と、
　第２編み込み工程終了後に、突出した６組の各束ストランドの先端を更にそれぞれ２組の細束に分割し、第１細束としての外層線と第２細束としての内層線とし、合計で１２組の細束ストランドを形成する細束ストランド形成工程と、
　細束ストランド形成工程終了後に、第１細束としての外層線よりなる６組の細束ストランドの突出先端を切断する第１細束切断工程と、
　第１細束切断工程終了後に、切断した第１細束としての外層線である６組の細束ストランドの先端をワイヤロープの撚り束ストランドの中心に形成された芯部領域中心に押込む第１細束先端押込み工程と、
　第１細束先端押込み工程終了後に、第２細束としての内層線よりなる６組の細束ストランドをワイヤロープの撚られた各ストランドの間にワイヤロープの撚り方向と逆の方向に差し込んでワイヤロープ周面から突出させる編み込み作業を複数回行うかご差しの第３半差し編み込み工程と、
　第３半差し編み込み工程終了後に、突出した第２細束としての内層線たる６組の各細束ストランドの突出先端を切断する第２細束切断工程と、
　第２細束切断工程終了後に、切断した第２細束としての内層線たる６組の細束ストランドの先端を、２組或は３組ずつ束ねてワイヤロープの撚りストランドの中心の芯部領域の空隙中に押込む第２細束先端押込み工程とよりなる
　ことを特徴とするトゲのないワイヤロープの玉掛索製造方法。
　　【請求項２０】
　
予め折り曲げられたワイヤロープ本体の自由端をストランド毎にばらばらに解舒してワイヤロープ先端部分に６組の束ストランドに形成する束ストランド形成工程と、
　束ストランド形成工程終了後に、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しの第１編み込み工程と、
　第１編み込み工程終了後に、撚られた各ストランドの間に差し込んだ前記６組の束ストランドをそれぞれ別々にワイヤロープの撚り方向と逆の方向に差し込んでワイヤロープ周面から突出させる編み込み作業を行うかご差しの第２編み込み工程と、
　第２編み込み工程終了後に、突出した６組の各束ストランドの先端を更にそれぞれ２組の細束に分割し、第１細束としての外層線と第２細束としての内層線とし、合計で１２組の細束ストランドを形成する細束ストランド形成工程と、
　細束ストランド形成工程終了後に、第１細束としての外層線よりなる６組の細束ストランドの突出先端を切断する第１細束切断工程と、
　第１細束切断工程終了後に、切断した第１細束としての外層線である６組の細束ストランドの先端をワイヤロープの撚り束ストランドの中心に形成された芯部領域中心に押込む第１細束先端押込み工程と、
　第１細束先端押込み工程終了後に、第２細束としての内層線よりなる６組の細束ストランドをワイヤロープの撚られた各ストランドの間にワイヤロープの撚り方向と逆の方向に差し込んでワイヤロープ周面から突出させる編み込み作業を複数回行うかご差しの第３半差し編み込み工程と、
　第３半差し編み込み工程終了後に、突出した第２細束としての内層線たる６組の各細束ストランドの突出先端を切断する第２細束切断工程と、
　第２細束切断工程終了後に、切断した第２細束としての内層線たる６組の細束ストランドの先端を、２組或は３組ずつ束ねてワイヤロープの撚りストランドの中心の芯部領域の空隙中に押込む第２細束先端押込み工程とよりなる
　ことを特徴とするトゲのないワイヤロープの玉掛索製造方法。
　　【請求項２１】
　
予め折り曲げられたワイヤロープ本体の自由端をストランド毎にばらばらに解舒してワイヤロープ先端部分に６組の束ストランドに形成する束ストランド形成工程と、
　束ストランド形成工程終了後に、ワイヤロープのループ部基端とすべき位置において、撚られた各ストランドの間に６組の束ストランドをそれぞれ別々にワイヤロープの撚り方向と同じ方向に差し込んでワイヤロープ周面から突出させる編み込み作業を複数回行う巻差しの第１編み込み工程と、
　第１編み込み工程終了後に、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しの第２編み込み工程と、
　第２編み込み工程終了後に、突出した６組の各束ストランドの先端を更にそれぞれ２組の細束に分割し、第１細束としての外層線と第２細束としての内層線とし、合計で１２組の細束ストランドを形成する細束ストランド形成工程と、
　細束ストランド形成工程終了後に、第１細束としての外層線よりなる６組の細束ストランドの突出先端を切断する第１細束切断工程と、
　第１細束切断工程終了後に、切断した第１細束としての外層線である６組の細束ストランドの先端をワイヤロープの撚り束ストランドの中心に形成された芯部領域中心に押込む第１細束先端押込み工程と、
　第１細束先端押込み工程終了後に、第２細束としての内層線よりなる６組の細束ストランドをワイヤロープの撚られた各ストランドの間にワイヤロープの撚り方向と同じ方向に差し込んでワイヤロープ周面から突出させる編み込み作業を複数回行う巻差しの第３半差し編み込み工程と、
　第３半差し編み込み工程終了後に、突出した第２細束としての内層線たる６組の各細束ストランドの突出先端を切断する第２細束切断工程と、
　第２細束切断工程終了後に、切断した第２細束としての内層線たる６組の細束ストランドの先端を、２組或は３組ずつ束ねてワイヤロープの撚りストランドの中心の芯部領域の空隙中に押込む第２細束先端押込み工程とよりなる
　ことを特徴とするトゲのないワイヤロープの玉掛索製造方法。
　　【請求項２２】
　
請求項１〜２１の何れか１項に記載のトゲのないワイヤロープの玉掛索製造方法により製造したトゲのないワイヤロープの玉掛索。
（なお、下線は、請求人が補正箇所を明示するために付したものである。）
〔２〕本件補正の目的要件について
　本件補正は、本件補正前の請求項１に記載された事項における、第１編み込み工程、第２編み込み工程及び第３半差し編み込み工程について、それぞれ、「巻差し又はかご差しの何れか一方」のものであったものを、本件補正後の請求項１に記載された事項において、本件補正前の請求項２に記載された事項に基づき、第１編み込み工程について、「かご差し」のものとし、選択肢である「巻差し」のものを削除するとともに、第２編み込み工程及び第３半差し編み込み工程については、「巻差し」のものとし、選択肢である「かご差し」のものを削除する補正を含むものである。
　また、本件補正は、本件補正前の請求項１に記載された事項における、第１編み込み工程、第２編み込み工程及び第３半差し編み込み工程について、それぞれ、「巻差し又はかご差しの何れか一方」のものであったものを、本件補正後の請求項６に記載された事項において、本件補正前の請求項７に記載された事項に基づき、第１編み込み工程、第２編み込み工程及び第３半差し編み込み工程について、それぞれ、「かご差し」のものとし、選択肢である「巻差し」のものを削除する補正を含むものである。
　よって、特許請求の範囲の請求項１又は６についての本件補正は、本件補正前の特許請求の範囲の請求項１に係る発明の発明特定事項を限定したものであって、本件補正前の請求項１に記載された発明と本件補正後の請求項１又は６に記載される発明の産業上の利用分野及び解決しようとする課題が同一であるから、本件補正は、特許法第１７条の２第５項第２号に規定する特許請求の範囲の減縮を目的とするものに該当する。
　そこで、本件補正によって補正された特許請求の範囲の請求項１に係る発明（以下、「本願補正発明１」という。）又は同特許請求の範囲の請求項６に係る発明（以下、「本願補正発明２」という。）が特許出願の際に独立して特許を受けることができるものであるか（特許法第１７条の２第６項において準用する同法第１２６条第７項の規定に適合するか）について、以下に検討する。
〔３〕本願補正発明１の独立特許要件について
１．本願補正発明１
　本願補正発明１は、平成２６年５月１２日に提出された手続補正書により補正された特許請求の範囲の請求項１に記載された事項により特定されるものであるところ、上記〔１〕（Ｂ）の請求項１に示したとおりのものである。
２．引用刊行物
（１）刊行物１
　ア　刊行物１の記載事項
　原査定の拒絶の理由に引用され、本件出願前に頒布された刊行物である国際公開第２００９／０９３６４８号（以下、「刊行物１」という。）には、図面とともに次の事項が記載されている。
ａ）「［０００１］　この発明は、ワイヤロープの端部側を輪状に丸く折り曲げてその折り曲げた端部の自由端をワイヤロープに連設固定してワイヤロープの先端にループ状の玉掛索を形成するトゲのないワイヤロープの玉掛索製造方法及びワイヤロープの玉掛索製造装置及び同装置を用いたトゲのないワイヤロープの玉掛索製造方法並びにトゲのないワイヤロープの玉掛索に関する。
背景技術
［０００２］　従来、金属製のワイヤロープは、数本ごとに金属素線を撚って形成したストランドという素線の束を更に多数撚ってロープとなるように構成している。
［０００３］　そして、かかるワイヤロープを突起物に係合するためにはワイヤロープの先端に輪状のループ部を形成してこのループ部を突起物に係合する。
［０００４］　従って、金属ワイヤロープの先端にはかかるループ部を形成して使用されることが多く、このループ形状を玉掛索と言っている（例えば、特許文献１参照）。
［０００５］　このようにループ部の玉掛索を形成する方法としては、まず、曲げられたワイヤロープの自由端をストランドの束毎に、すなわち、数本の金属素線を撚って形成した金属束毎にばらばらに解舒する。
［０００６］　次いで、ワイヤロープのループ基端とすべき位置において鋭利なスパイキと呼ばれる針部材で撚られた各束ストランドの間に隙間をこじ開けて先ほどのばらばらにしたストランドのうちの一束目のストランドを差し込んで隙間から挿通する。
［０００７］　このようにして、ばらばらにした各束ストランドを同じ様にして撚りストランドの異なる隙間に通していき、最終的には、すべてのばらばらにした各ストランドの自由端を、ワイヤロープのループ基端となるべき位置において形成されたストランド間隙に挿通する。これを数回繰り返すことを丸差し作業と称する。
［０００８］　かかる丸差し作業が行われた後に間隙を挿通して突出した各束ストランド先端部を更に２組の細束に分岐し、その１組目の細束ストランドはワイヤロープ表面から所望の長さで切断すると共に、切断しない他の組の細束ストランドはそれぞれ異なるストランド間隙に挿通する。これを数回繰り返すことを半差し作業と称する。
［０００９］　このようにして数回のストランド挿通作業を完了し間隙から突出した自由端を切断していくことによりワイヤロープのループ基端の連設固定作業を完了しループ状の玉掛索が出来上がる（例えば、特許文献１参照）。
［００１０］　すなわち、従来の手編み玉掛索の製作に使用されるワイヤロープは、心綱とその周囲に６組のストランドを六角状に配しこれを螺旋状に撚り込んで作られており、また、各ストランドは、内部側を構成する複数のワイヤ素線の束とから構成されている。
［００１１］　一般に、ワイヤロープを用いて手編み玉掛索を製作する場合において、ワイヤロープの先端を折り返してループ状とする所謂アイ加工では、法規で定められた基準を守って、例えば、かご差しや巻差しなどと呼ばれる特定の編み込み方法を用いて作られる。
［００１２］　折り返した先端側をワイヤロープを構成する６組の束ストランドと心綱とをバラバラに分け、先端部分が折り返される基側、すなわち、ループ部基端となるべき位置において撚り込まれた各撚りストランドの間に決められた順序で各ばらばらにした束ストランドの先端を通し決まった間から抜き出す。
［００１３］　ループ部基端においてワイヤロープの本線表面から抜き出た６組のばらばらにした束ストランドの先端側を、編み込み方法の種類によって決まった順序で、撚りストランドの特定の間から通して、別の特定の間から抜き出す作業を最低３回以上繰り返す。
［００１４］　３回以上繰り返した後、本線の表面から外部に出ている６組のばらばらの各ストランドの先端側を、各組毎に更に外層線の細束と内層線の細束ストランドとにそれぞれ識別して、二つの組に細分化し１２組の細束ストランド先端自由端部を形成し、ワイヤロープの表面から外部に出ている６組の各内層線の細束ストランドのみをワイヤロープの表面位置で切断する。
［００１５］　また、切断しなかった６組の各外層線の細束を前記の編み込み方法の種類に決まっている順序で、ワイヤロープの螺旋状に撚り込まれたストランドの特定の間から通して、別の特定の間から抜き出す作業を最低２回以上繰り返す（これを「半差し作業」という）。その後、ワイヤロープの表面から外部に出ている６組の各外層線の細束ストランドをワイヤロープの表面位置で切断する。
［００１６］　なお、各束ストランド又は各外層線の細束ストランドをどの間から通して他のどの間から抜き出すかのこれらの作業手順は、編み込み方法の種類に決まっている。また、各工程の途中ではワイヤロープ表面はハンマで軽く均される。
［００１７］従来はこのような方法によりワイヤロープを用いて手編み玉掛索が作られている。
　・・・中略・・・
［００２２］　また、かかる改良スパイキを使用しない従来の一般的な玉掛索の形成作業では、ワイヤロープの表面位置で切断された各内層線や各外層線の細束ストランドは、複数の強度のあるワイヤ素線の集まりであるため、その切断部分の所謂トゲは鋭利になっており、トゲに手が直接触ると手の表面を切ったりして非常に危険である。しかも、トゲの箇所は６個の細束の内層線で６箇所、６個の細束の外層線も６箇所あり、分岐した１２個の細束ストランドにより合計１２箇所のトゲの箇所がワイヤロープの本線表面に分散しており、このため、ワイヤロープのループ部基端表面を掴む場合には手袋をはめないと危険であった。
［００２３］　また、従来の手編み玉掛索においては、内層線及び外層線の細束は当初は本線表面のぎりぎりの位置で切断されているが、トゲの箇所が分散されている本線部分を何回も折り曲げたりするうちに、トゲが本線表面から次第に一部突出し、突出するトゲは場合によっては手袋を裂いて手を切ることもあり、非常に危険であった。
［００２４］　このように玉掛索における最大の問題は、ばらばらにした複数の束ストランドの自由端をスパイキで形成した撚りストランドの間隙から挿通して引出し先端を切断するため、ワイヤロープ周面から切断部分が突出し作業中に解舒ストランドの切断部分先端が鋭利となり作業中に作業員がケガするという危険があり、更には、最終的に完成した玉掛索のループ基端にストランドの切断自由端が突出しているためワイヤロープの玉掛索を使用する使用者にも非常に危険であったということにある。
［００２５］　そこで、かかるストランドの突出自由端がワイヤロープ周面から突出しないような玉掛索の形成方法が特許文献１に記載されている。
［００２６］　すなわち、手編み玉掛索の本線表面に現れる所謂トゲと呼ばれるワイヤ素線の切断端面がワイヤロープの表面に現れないようにして、手編み玉掛索の本線の表面に現れる切断端面の所謂トゲによって手が切れたりするのを確実に防いで安全性を高めることのできる手編み玉掛索の製作法が出願されている（特許文献１）。
［００２７］　かかる特許文献１に記載された玉掛索の製造方法は、束ストランドの切断先端、いわゆるトゲがワイヤロープ周面から突出しないようにワイヤロープの中心部に形成された芯部空隙に押込む技術が開示されているが、ワイヤロープの玉掛索の使用中に徐々に押込まれたトゲが撚りストランドの間からワイヤロープ周面に突出するおそれがあった。その原因は、差し込まれる束ストランドがワイヤロープの撚りに対して常に一定の撚り方向、例えば、逆方向のかご差し方法でのみ差し込まれて編み込まれるためであり、撚りストランドと差し込まれた束ストランドによる編み込みで形成される芯部空隙がワイヤロープ周面と連通して芯部空隙をトゲ格納空間、すなわち、閉塞空間にできないことによると考えられる。」（段落［０００１］ないし［００２７］）
ｂ）「［００３２］　かかる課題を解決するために、請求項１に記載の発明は、予め折り曲げられたワイヤロープ本体の自由端をストランド毎にばらばらに解舒してワイヤロープ先端部分に６組の束ストランドに形成する束ストランド形成工程と、束ストランド形成工程終了後に、ワイヤロープのループ部基端とすべき位置において、撚られた各ストランドの間に６組の束ストランドをそれぞれ別々にワイヤロープの撚り方向と同じ方向に差し込んでワイヤロープ周面から突出させる編み込み作業を複数回行う巻差し工程と、巻差し工程終了後に、撚られた各ストランドの間に差し込んだ前記６組の束ストランドをそれぞれ別々にワイヤロープの撚り方向と逆の方向に差し込んでワイヤロープ周面から突出させる編み込み作業を行うかご差し工程と、かご差し工程終了後に、突出した６組の各束ストランドの先端を内層線と外層線とに分別して１２組の細束ストランドを形成する細束ストランド形成工程と、細束ストランド形成工程終了後に、内層線よりなる６組の細束ストランドの突出先端を切断する内層線切断工程と、内層線切断工程終了後に、切断した内層線である６組の細束ストランドの先端をワイヤロープの撚り束ストランドの中心に形成された芯部空隙中心に押込む内層線先端押込み工程と、内層線先端押込み工程終了後に、外層線よりなる６組の細束ストランドをワイヤロープの撚られた各ストランドの間にワイヤロープの撚り方向と逆の方向に差し込んでワイヤロープ周面から突出させる編み込み作業を複数回行う細束ストランドかご差し工程と、細束ストランドかご差し工程終了後に、突出した外層線たる６組の各細束ストランドの突出先端を切断する外層線切断工程と、外層線切断工程終了後に、切断した外層線たる６組の細束ストランドの先端を、ワイヤロープの撚りストランドの中心の芯部空隙中に押込む外層線先端押込み工程とよりなるトゲのないワイヤロープの玉掛索製造方法とした。」（段落［００３２］）
ｃ）「［００４１］　請求項１に記載の発明によれば、ワイヤロープのループ基端部において、束ストランドや細束ストランドを撚りストランド間に挿通するに際し、まず、ワイヤロープの撚りと同じ方向の撚りに沿って束ストランドを撚りストランド間に挿通して編み込んでいき、この作業を複数回行い、次いで、ワイヤロープの撚りと逆の方向に沿って束ストランドを編み込んでいき、その後、内層線と外層線とに分別した後の外層線は、ワイヤロープの撚りと逆方向で撚りストランド間に挿通して編み込んでいくものである。従って、ワイヤロープの撚りと同じ方向と逆方向とにおいて、束ストランドの編み込みがなされることになり、ワイヤロープの芯部空隙中に押込んだ束ストランドや細束ストランドの切断先端部を格納した場合、ワイヤロープの撚りの方向と逆方向に交差した状態で束ストランドや細束ストランドが編み込まれて芯部空隙を形成することになる。すなわち、網目状になって交差した束ストランドや細束ストランドが芯部空隙の周囲を囲繞した状態となり、ストランド切断先端部たるトゲを封じ込めてワイヤロープの外部に突出できないように封止することができる効果がある。そして、ワイヤロープの玉掛索として使用時に引張り応力が掛かると、網目状になって交差した束ストランドや細束ストランドが縮小し、すなわち、引張り応力が大きいほど網目がより緊密に小さくなり、間隙のない円周状の側壁を形成した状態となり、芯部空隙にストランド切断先端部たるトゲを封じ込めてワイヤロープの外部に突出できないように完全に封入することができる効果がある。」（段落［００４１］）
ｄ）「［００５２］　本発明の実施例を説明する前に、予め図面に基づきこの発明の前提となるワイヤロープの玉掛索製造方法に関する既存の技術を説明する。
［００５３］　一般に、ワイヤロープを用いて手編み玉掛索を製作する方法として以下の技術が知られている。即ち、「巻差し方法」と「かご差し方法」が用いられる。このうち、「巻差し方法」は、ワイヤロープの先端をストランドの単位にばらばらに解舒して、そのストランドをワイヤロープの撚りストランドの間に通して、ワイヤロープの撚り方向と「同方向」に巻いていく方法である。
［００５４］　「かご差し方法」は、ワイヤロープの先端をストランドの単位に解舒して、その束ストランドをワイヤロープの撚りストランドの間に通して、ワイヤロープの撚り方向と「反対方向」に巻いていく方法である。
［００５５］　このように巻差し方法とかご差し方法とは、ワイヤロープの撚り方向と同一か反対かによって区別する。
［００５６］　以下に、本願発明の玉掛索を製造する方法について説明する。
［００５７］I.［束ストランド形成工程］
　束ストランド形成工程について説明する。図２に示すように、先ずワイヤロープ１１の自由端部側に輪状のループ部１２を作る。
［００５８］　すなわち、ワイヤロープ１１の先端側を折り返し、折り返した先端側でループ部１２を構成すると同時に折り返したワイヤロープ１１の先端部分において、６組の束ストランド１〜６とその中心にある心綱７とをばらばらに分ける。
［００５９］　II．［準備作業工程］
　ここで、ワイヤロープ１１の本線１１ａの撚りストランドＡ〜Ｆ内に各束ストランド１〜６を通す作業（いわゆる巻差し方法による束ストランド挿通作業）の前段階としての準備作業工程を行う。すなわち、この準備作業工程は、地差し法による口入れと称するものであり、６組の各束ストランド１〜６を図３に示すように、撚りストランドＡ〜Ｆの適宜の間にスパイキ１４５を入れて、撚りストランドＡ〜Ｆ間の間隙に挿通する。この作業を図３に基づき詳説する。この工程は次工程の巻差し工程を行うためにばらばらの束ストランド１〜６の根元を撚りストランドＡ〜Ｆに係合し固定して束ストランドの巻差しが弛緩しないようにするためのものである。
［００６０］（１）束ストランド１をワイヤロープ１１の本線１１ａ側の撚りストランドＡ・Ｆの間から挿入して心綱７の左を通して撚りストランドＢ・Ｃの間を抜く。
［００６１］（２）束ストランド２をワイヤロープ１１の本線１１ａ側の撚りストランドＡ・Ｆの間から挿入して心綱７の左を通して撚りストランドＣ・Ｄの間を抜く。
［００６２］（３）束ストランド３をワイヤロープ１１の本線１１ａ側の撚りストランドＡ・Ｆの間から挿入して心綱７の右を通して撚りストランドＤ・Ｅの間を抜く。
［００６３］（４）束ストランド４をワイヤロープ１１の本線１１ａ側の撚りストランドＡ・Ｆの間から挿入して心綱７の右を通して撚りストランドＥ・Ｆの間を抜く。ここで通したストランド４を締め込む。
［００６４］（５）撚りストランドＡ・Ｆの間から撚りストランドＢ・Ｃの間にスパイキを差してストランドＡ・Ｆの間に心綱７を入れる。
［００６５］（６）束ストランド５をワイヤロープ１１の本線１１ａ側の撚りストランドＡ・Ｂの間から挿入して撚りストランドＡ・Ｆの間を抜くと同時に、ストランドＡ〜Ｆの撚りを戻す。
［００６６］（７）束ストランド６をワイヤロープ１１の本線１１ａ側の撚りストランドＡ・Ｆの間から挿入して撚りストランドＡ・Ｂの間に抜くと同時に、ストランドＡ〜Ｆの撚りを戻す。そして、ストランドＡ〜Ｆの撚りを戻した部分をハンマで軽く均す。
［００６７］　図３を用いて説明した地差し方法は、束ストランドを５対１に分けて撚りストランドに挿通したが、その他に束ストランドを４対２に分けて行う地差し方法と、束ストランドを３対３に分けて行う地差し方法があり、これらの方法においても本実施形態のワイヤロープの玉掛索を得るための準備作業工程となり得る。
［００６８］　他の実施例として上記地差し法による口入れ方法の他にフレミッシュ法による口入れ方法がある。ここでは、図１４に基づきフレミッシュ法を詳説する。なお、フレミッシュ法には、束ストランドを３対３の２組に分けて行う方法と、４対２の２組に分けて行う方法の２種類があり、ここでは、束ストランドを３対３の２組に分けて行う方法について説明する。
［００６９］（１）ストランド１をワイヤロープ１１の本線１１ａ側の撚りストランドＡ・Ｂの間から挿入して心綱７の右を通して撚りストランドＡ・Ｆの間を抜く。
［００７０］（２）ストランド２をワイヤロープ１１の本線１１ａ側の撚りストランドＢ・Ｃの間から挿入して心綱７の右を通して撚りストランドＡ・Ｂの間を抜く。
［００７１］（３）ストランド３をワイヤロープ１１の本線１１ａ側の撚りストランドＣ・Ｄの間から挿入して心綱７の右を通して撚りストランドＢ・Ｃの間を抜く。
［００７２］（４）ストランド４をワイヤロープ１１の本線１１ａ側の撚りストランドＡ・Ｆの間から挿入して心綱７の右を通して撚りストランドＥ・Ｆの間を抜く。
［００７３］（５）ストランド５をワイヤロープ１１の本線１１ａ側の撚りストランドＥ・Ｆの間から挿入して撚りストランドＤ・Ｅの間を抜く。
［００７４］（６）ストランド６をワイヤロープ１１の本線１１ａ側の撚りストランドＤ・Ｅの間から挿入して撚りストランドＣ・Ｄの間に抜く。
［００７５］　このように６組の各束ストランド１〜６がそれぞれ撚りストランドＡ〜Ｆ間に挿通された状態となりフレミッシュ法による口入れを完了する（図１４参照）。
［００７６］　III．［巻差し工程］
　このように６組の各束ストランド１〜６がそれぞれ撚りストランドＡ〜Ｆ間に挿通され準備作業工程が終了した後（図３参照）に、以下に示す巻差し方法による６組の各束ストランド１〜６の挿通作業が行われる。
［００７７］（１）例えば、図４に示すように、１組目の束ストランド１をワイヤロープ１１の本線１１ａ側の撚りストランドＣ・Ｄの間から挿入して心綱７の右を通して撚りストランドＢ・Ｃの間を抜く。ここで通した束ストランド１を締め込む。
［００７８］（２）図５に示すように、２組目の束ストランド２をワイヤロープ１１の本線１１ａ側の撚りストランドＤ・Ｅの間から挿入して心綱７の左を通して撚りストランドＣ・Ｄの間を抜く。ここで通した束ストランド２を締め込む。
［００７９］（３）図６に示すように、３組目の束ストランドとしてのストランド３をワイヤロープ１１の本線１１ａ側の撚りストランドＥ・Ｆの間から挿入して心綱７の右を通して撚りストランドＤ・Ｅの間を抜く。ここで通した束ストランド３を締め込む。
［００８０］（４）図７に示すように、４組目の束ストランド４をワイヤロープ１１の本線１１ａ側の撚りストランドＡ・Ｆの間から挿入して心綱７の右を通して撚りストランドＥ・Ｆの間を抜く。ここで通したストランド４を締め込む。
［００８１］（５）図８に示すように、５組目の束ストランド５をワイヤロープ１１の本線１１ａ側の撚りストランドＡ・Ｂの間から挿入して撚りストランドＡ・Ｆの間を抜くと同時に、ストランドＡ〜Ｆの撚りを戻す。ここで通した束ストランド５を締め込む。
［００８２］（６）図９に示すように、６組目の束ストランド６をワイヤロープ１１の本線１１ａ側の撚りストランドＢ・Ｃの間から挿入して撚りストランドＡ・Ｂの間に抜くと同時に、ストランドＡ〜Ｆの撚りを戻す。ここで通した束ストランド６を締め込む。
［００８３］　このようにして１回目の６組の束ストランド１〜６の巻差し方法による挿通作業が完了する。
［００８４］　次に、同じ手順（１）〜（６）で２回目の巻差し方法による挿通作業を完了する。
［００８５］　更に、同じ手順（１）〜（６）で３回目の巻差し方法による挿通作業を完了して次のかご差し工程を行う。
［００８６］　なお、１回目〜３回目の巻差し方法による挿通作業においては、１組目の束ストランド１を１回目で挿通した同じ撚りストランドの間隙に、２回目の束ストランド１も、３回目の束ストランド１も挿通するものであり、１回目の束ストランド１は、ワイヤロープの撚りの第１旋回目部分における撚りストランドの間隙に挿通されるものであり、２回目の束ストランド１は、撚りの第２旋回目部分における同じ撚りの間隙に挿通されるものであり、３回目の束ストランド１は、撚りの第３旋回目部分における同じ撚りストランドの間隙に挿通されるものである。
［００８７］　従って、撚りの第１旋回目部分の上手側に、撚りの第２旋回目部分があり、更にその上手側に撚りの第３旋回目部分が位置し、各旋回目毎に１組目の束ストランド１が挿通される。
［００８８］　かかる手順は、図５に示すように２組目の束ストランド２においても同じように撚りの第１旋回目部分、第２旋回目部分、第３旋回目部分にそれぞれ挿通される。
［００８９］　以下、３組目以下も同じように６組目までの束ストランド３〜６が図６〜図９に示すように各旋回目部分に挿通されて、各組の束ストランド３〜６の３回の巻差し作業が完了する。
［００９０］　IV．［かご差し工程］
　次いで、各組の束ストランド１〜６を「かご差し方法」による作業で撚りストランド間に挿通する。
［００９１］　すなわち、ワイヤロープの撚りと反対に巻いていくかご差し方法を１回のみ実施するかご差し工程を行う。図１０に示すのは１回のみ行うかご差し方法による各組の束ストランド１〜６の挿通状態である。以下詳説する。
［００９２］（１）例えば、１組目の束ストランド１をワイヤロープ１１の本線１１ａ側の撚りストランドＣ・Ｄの間から挿入して心綱７の右を通して撚りストランドＥ・Ｆの間を抜く。
［００９３］（２）２組目の束ストランド２をワイヤロープ１１の本線１１ａ側の撚りストランドＤ・Ｅの間から挿入して心綱７の右を通して撚りストランドＡ・Ｆの間を抜く。
［００９４］（３）３組目の束ストランド３をワイヤロープ１１の本線１１ａ側の撚りストランドＥ・Ｆの間から挿入して心綱７の右を通して撚りストランドＡ・Ｂの間を抜く。
［００９５］（４）４組目の束ストランド４をワイヤロープ１１の本線１１ａ側の撚りストランドＡ・Ｆの間から挿入して心綱７の左を通して撚りストランドＢ・Ｃの間を抜く。
［００９６］（５）５組目の束ストランド５をワイヤロープ１１の本線１１ａ側の撚りストランドＡ・Ｂの間から挿入して撚りストランドＣ・Ｄの間を抜く。
［００９７］（６）６組目の束ストランド６をワイヤロープ１１の本線１１ａ側の撚りストランドＢ・Ｃの間から挿入して撚りストランドＤ・Ｅの間に抜く。
［００９８］　V．［細束ストランド形成工程］
　以上で６組の束ストランド１〜６は、巻差し、かご差しの各方法による撚りストランドＡ〜Ｆへの挿通作業が完了する。そして、束ストランド１〜６の各突出端を内層線の細束ストランド１ａ〜６ａと、外層線の細束ストランド１ｂ〜６ｂとに分別する細束ストランド形成工程を行う。一般にストランド単体を構成する複合線は、内外層線の多層線よりなり、これらを内層線、外層線と称しており、ここでは、これら内外層線に分別する作業を行う。
［００９９］　VI．［内層線切断工程］
　６組の束ストランド１〜６の内層線の細束ストランド１ａ〜６ａは、ワイヤロープ表面の位置で切断する内層線切断工程を行い、６組の外層線、すなわち６組の細束ストランド１ｂ〜６ｂを残す（図１１、図１５及び図１６参照）。このとき、撚りストランドＡ〜Ｆ間から心綱７を引き出し切断（図１７参照）して、同撚りストランドＡ〜Ｆの中心部の心綱７の一部を抜いた箇所に芯部空隙１１ｂを形成する。
［０１００］　VII．［内層線先端押込み工程］
　切断された６組の細束ストランドの先端切断部分、いわゆる内層線トゲ６本は、撚りストランドＡ〜Ｆの中心部の心綱７の一部を抜いて生じた芯部空隙１１ｂ中に押し込む内層線先端押込み工程を行う。
［０１０１］　VIII．［細束ストランドかご差し工程］
　突出したままのかかる外層線の細束ストランド１ｂ〜６ｂは、半差しによるかご差し方法による作業で撚りストランドＡ〜Ｆ間に挿通する細束ストランドかご差し工程を行う。すなわち、図１１に示すように１組目〜６組目の外層線の細束ストランド１ｂ〜６ｂは、所定の撚りストランドＡ〜Ｆ間に、撚りと反対方向に巻回しながら挿通する。
［０１０２］（１）例えば、１組目の細束ストランド１ｂをワイヤロープ１１の本線１１ａ側の撚りストランドＤ・Ｅの間から挿入して心綱７の左を通して撚りストランドＢ・Ｃの間を抜く。
［０１０３］（２）２組目の細束ストランド２ｂをワイヤロープ１１の本線１１ａ側の撚りストランドＥ・Ｆの間から挿入して心綱７の右を通して撚りストランドＣ・Ｄの間を抜く。
［０１０４］（３）３組目の細束ストランド３ｂをワイヤロープ１１の本線１１ａ側の撚りストランドＡ・Ｆの間から挿入して心綱７の右を通して撚りストランドＤ・Ｅの間を抜く。
［０１０５］（４）４組目の細束ストランド４ｂをワイヤロープ１１の本線１１ａ側の撚りストランドＡ・Ｂの間から挿入して心綱７の右を通して撚りストランドＥ・Ｆの間を抜く。
［０１０６］（５）５組目の細束ストランド５ｂをワイヤロープ１１の本線１１ａ側の撚りストランドＢ・Ｃの間から挿入して撚りストランドＡ・Ｆの間を抜く。
［０１０７］（６）６組目の細束ストランド６ｂをワイヤロープ１１の本線１１ａ側の撚りストランドＣ・Ｄの間から挿入して撚りストランドＡ・Ｂの間に抜く。
［０１０８］　以上で６組の外層線の細束ストランド１ｂ〜６ｂは、かご差しの各方法による撚りストランドＡ〜Ｆへの１回目の挿通作業が完了する。
［０１０９］　次に、同じ手順で６組の外層線の細束ストランド１ｂ〜６ｂの２回目のかご差し方法による作業が行われる。図１２を基に詳説する。
［０１１０］（１）例えば、１組目の細束ストランド１ｂをワイヤロープ１１の本線１１ａ側の撚りストランドＡ・Ｂの間から挿入して撚りストランドＥ・Ｆの間を抜く。
［０１１１］（２）２組目の細束ストランド２ｂをワイヤロープ１１の本線１１ａ側の撚りストランドＢ・Ｃの間から挿入して心綱７の左を通して撚りストランドＡ・Ｆの間を抜く。
［０１１２］（３）３組目の細束ストランド３ｂをワイヤロープ１１の本線１１ａ側の撚りストランドＣ・Ｄの間から挿入して心綱７の左を通して撚りストランドＡ・Ｂの間を抜く。
［０１１３］（４）４組目の細束ストランド４ｂをワイヤロープ１１の本線１１ａ側の撚りストランドＤ・Ｅの間から挿入して心綱７の左を通して撚りストランドＢ・Ｃの間を抜く。
［０１１４］（５）５組目の細束ストランド５ｂをワイヤロープ１１の本線１１ａ側の撚りストランドＥ・Ｆの間から挿入して撚りストランドＣ・Ｄの間を抜く。
［０１１５］（６）６組目の細束ストランド６ｂをワイヤロープ１１の本線１１ａ側の撚りストランドＡ・Ｆの間から挿入して撚りストランドＤ・Ｅの間に抜く。
［０１１６］　以上で６組の外層線の細束ストランド１ｂ〜６ｂは、かご差しの各方法による撚りストランドＡ〜Ｆへの２回目の挿通作業が完了する。
［０１１７］　以上の細束ストランドかご差し工程において、半差しにおけるかご差し作業は２回行われるが、特に２回に限定されるものではなく２回以上であってもよい。
［０１１８］　IX．［外層線切断工程及び外層線先端押込み工程］
　２〜３回のかご差しの作業が終了するとワイヤロープ表面位置において突出した６組の外層線の細束ストランド１ｂ〜６ｂを切断する外層線切断工程を行う。切断した外層線の切断部分は、撚りストランドＡ〜Ｆの芯部空隙１１ｂ中に押込む外層線先端押込み工程を行う。
［０１１９］　例えば、図１３に示すように、６組の外層線の各細束ストランド１ｂ〜６ｂのうち２組ずつを束ねて根元をテーピングし、新たに３組のテーピングストランド束を形成し、その後、テーピングの先端から突出した細束ストランドを切断して３組のテーピング束ストランドの先端部分を芯部空隙１１ｂ内に差し込む（図１８参照）。そして、外部に引出していた心綱７を芯部空隙１１ｂに戻す。なお、図１３で説明した６組の外層線の細束ストランド１ｂ〜６ｂを２本ずつ束ねて芯部空隙１１ｂに収めるようにしたが、６組の外層線の細束ストランドをばらばらの状態で芯部空隙１１ｂに収めるようにしてもよし、また、６組の外層線の細束ストランドを３本ずつ束ねて芯部空隙１１ｂに収めるようにしたが、さらに、６組の外層線の細束ストランドを１つに束ねて芯部空隙１１ｂに収めるようにしてもよい。
［０１２０］　以上のＩ〜ＩＸの各工程を経て、トゲなしのワイヤロープ玉掛索が完成する。」（段落［００５２］ないし［０１２０］）
ｅ）「［１］　予め折り曲げられたワイヤロープ本体の自由端をストランド毎にばらばらに解舒してワイヤロープ先端部分に６組の束ストランドに形成する束ストランド形成工程と、
　束ストランド形成工程終了後に、ワイヤロープのループ部基端とすべき位置において、撚られた各ストランドの間に６組の束ストランドをそれぞれ別々にワイヤロープの撚り方向と同じ方向に差し込んでワイヤロープ周面から突出させる編み込み作業を複数回行う巻差し工程と、
　巻差し工程終了後に、撚られた各ストランドの間に差し込んだ前記６組の束ストランドをそれぞれ別々にワイヤロープの撚り方向と逆の方向に差し込んでワイヤロープ周面から突出させる編み込み作業を行うかご差し工程と、
　かご差し工程終了後に、突出した６組の各束ストランドの先端を内層線と外層線とに分別して１２組の細束ストランドを形成する細束ストランド形成工程と、
　細束ストランド形成工程終了後に、内層線よりなる６組の細束ストランドの突出先端を切断する内層線切断工程と、
　内層線切断工程終了後に、切断した内層線である６組の細束ストランドの先端をワイヤロープの撚り束ストランドの中心に形成された芯部空隙中心に押込む内層線先端押込み工程と、
　内層線先端押込み工程終了後に、外層線よりなる６組の細束ストランドをワイヤロープの撚られた各ストランドの間にワイヤロープの撚り方向と逆の方向に差し込んでワイヤロープ周面から突出させる編み込み作業を複数回行う細束ストランドかご差し工程と、
　細束ストランドかご差し工程終了後に、突出した外層線たる６組の各細束ストランドの突出先端を切断する外層線切断工程と、
　外層線切断工程終了後に、切断した外層線たる６組の細束ストランドの先端を、ワイヤロープの撚りストランドの中心の芯部空隙中に押込む外層線先端押込み工程とよりなる
　ことを特徴とするトゲのないワイヤロープの玉掛索製造方法。」（請求の範囲の［１］）
　イ　刊行物１の記載事項及び図面の記載から分かること
ａ）上記アｂ）、ｄ）（特に、段落［００５３］ないし［００５８］）及びｅ）並びに図２の記載によれば、ワイヤロープの玉掛索製造方法は、予め折り曲げられたワイヤロープ本体の自由端をストランド毎にばらばらに解舒してワイヤロープ先端部分に６組の束ストランドに形成する束ストランド形成工程を備えることが分かる。
ｂ）上記アｂ）、ｄ）（特に、段落［００７６］ないし［００８９］）及びｅ）並びに図４ないし９の記載によれば、ワイヤロープの玉掛索製造方法は、束ストランド形成工程終了後に、ワイヤロープのループ部基端とすべき位置において、撚られた各ストランドの間に６組の束ストランドをそれぞれ別々にワイヤロープの撚り方向と同じ方向に差し込んでワイヤロープ周面から突出させる編み込み作業を複数回行う巻差し工程を備えることが分かる。
ｃ）上記アｂ）、ｄ）（特に、段落［００９０］ないし［００９７］）及びｅ）並びに図１０の記載によれば、ワイヤロープの玉掛索製造方法は、巻差し工程終了後に、撚られた各ストランドの間に差し込んだ前記６組の束ストランドをそれぞれ別々にワイヤロープの撚り方向と逆の方向に差し込んでワイヤロープ周面から突出させる編み込み作業を行うかご差し工程を備えることが分かる。
ｄ）上記アｂ）、ｄ）（特に、段落［００９８］）及びｅ）並びに図１１の記載によれば、上記アｂ）及びｅ）において、「かご差し工程終了後に、突出した６組の各束ストランドの先端を内層線と外層線とに分別して１２組の細束ストランドを形成する細束ストランド形成工程」という記載があるところ、束ストランドの先端を内層線と外層線とに分別して細束ストランドを形成することが、束ストランドの先端を更にそれぞれ２組の細束に分割し、内層線の細束と外層線の細束とし、細束ストランドを形成するものであることは明らかであるから、ワイヤロープの玉掛索製造方法は、かご差し工程終了後に、突出した６組の各束ストランドの先端を更にそれぞれ２組の細束に分割し、内層線の細束と外層線の細束とし、合計で１２組の細束ストランドを形成する細束ストランド形成工程を備えることが分かる。
ｅ）上記アｂ）、ｄ）（特に、段落［００９９］）及びｅ）並びに図１１、１５、１６及び１７の記載によれば、ワイヤロープの玉掛索製造方法は、細束ストランド形成工程終了後に、内層線の細束よりなる６組の細束ストランドの突出先端を切断する内層線切断工程を備えることが分かる。
ｆ）上記アｂ）、ｄ）（特に、段落［０１００］）及びｅ）並びに図１１の記載によれば、ワイヤロープの玉掛索製造方法は、内層線切断工程終了後に、切断した内層線の細束である６組の細束ストランドの先端をワイヤロープの撚り束ストランドの中心に形成された芯部空隙中心に押込む内層線先端押込み工程を備えることが分かる。
ｇ）上記アｂ）、ｄ）（特に、段落［０１０１］ないし［０１１７］）及びｅ）並びに図１１及び１２の記載によれば、ワイヤロープの玉掛索製造方法は、内層線先端押込み工程終了後に、外層線の細束よりなる６組の細束ストランドをワイヤロープの撚られた各ストランドの間にワイヤロープの撚り方向と逆の方向に差し込んでワイヤロープ周面から突出させる編み込み作業を複数回行う半差しによる細束ストランドかご差し工程を備えることが分かる。
ｈ）上記アｂ）、ｄ）（特に、段落［０１１８］）及びｅ）並びに図１２及び１３の記載によれば、ワイヤロープの玉掛索製造方法は、半差しによる細束ストランドかご差し工程終了後に、突出した外層線の細束たる６組の各細束ストランドの突出先端を切断する外層線切断工程を備えることが分かる。
ｉ）上記アｂ）、ｄ）（特に、段落［０１１８］及び［０１１９］）及びｅ）並びに図１３及び１８の記載によれば、ワイヤロープの玉掛索製造方法は、外層線切断工程終了後に、切断した外層線の細束たる６組の細束ストランドの先端を、２組ずつ束ねてワイヤロープの撚りストランドの中心の芯部空隙中に押込む外層線先端押込み工程を備えることが分かる。
ｊ）上記アｂ）、ｄ）（特に、段落［０１２０］）及びｅ）によれば、ワイヤロープの玉掛索製造方法は、トゲのないワイヤロープの玉掛索製造方法であることが分かる。
　ウ　引用発明１
　上記ア及びイを総合して、本願補正発明１の表現に倣って整理すると、刊行物１には、次の事項からなる発明（以下「引用発明１」という。）が記載されていると認める。
「予め折り曲げられたワイヤロープ本体の自由端をストランド毎にばらばらに解舒してワイヤロープ先端部分に６組の束ストランドに形成する束ストランド形成工程と、
　束ストランド形成工程終了後に、ワイヤロープのループ部基端とすべき位置において、撚られた各ストランドの間に６組の束ストランドをそれぞれ別々にワイヤロープの撚り方向と同じ方向に差し込んでワイヤロープ周面から突出させる編み込み作業を複数回行う巻差し工程と、
　巻差し工程終了後に、撚られた各ストランドの間に差し込んだ前記６組の束ストランドをそれぞれ別々にワイヤロープの撚り方向と逆の方向に差し込んでワイヤロープ周面から突出させる編み込み作業を行うかご差し工程と、
　かご差し工程終了後に、突出した６組の各束ストランドの先端を更にそれぞれ２組の細束に分割し、内層線の細束と外層線の細束とし、合計で１２組の細束ストランドを形成する細束ストランド形成工程と、
　細束ストランド形成工程終了後に、内層線の細束よりなる６組の細束ストランドの突出先端を切断する内層線切断工程と、
　内層線切断工程終了後に、切断した内層線の細束である６組の細束ストランドの先端をワイヤロープの撚り束ストランドの中心に形成された芯部空隙中心に押込む内層線先端押込み工程と、
　内層線先端押込み工程終了後に、外層線の細束よりなる６組の細束ストランドをワイヤロープの撚られた各ストランドの間にワイヤロープの撚り方向と逆の方向に差し込んでワイヤロープ周面から突出させる編み込み作業を複数回行う半差しによる細束ストランドかご差し工程と、
　半差しによる細束ストランドかご差し工程終了後に、突出した外層線の細束たる６組の各細束ストランドの突出先端を切断する外層線切断工程と、
　外層線切断工程終了後に、切断した外層線の細束たる６組の細束ストランドの先端を、２組ずつ束ねてワイヤロープの撚りストランドの中心の芯部空隙中に押込む外層線先端押込み工程とよりなる
　トゲのないワイヤロープの玉掛索製造方法。」
（２）刊行物２
　ア　刊行物２の記載事項
　原査定の拒絶の理由に引用され、本件出願前に頒布された刊行物である特開２００６−２９１３８７号公報（以下、「刊行物２」という。）には、図面とともに次の事項が記載されている。
ａ）「【請求項２】
ワイヤロープを用いて手編み玉掛索を製作する方法において、既知の編み込み方法の手順に沿って、ワイヤロープの端部側に輪状を作ると共にワイヤロープを構成する６組のストランドの先端側をワイヤロープの本線表面に通して抜き出す丸差し作業を所定回数繰り返した後、ワイヤロープの本線表面から外部に抜き出た６組の各ストランドを２つのワイヤ素線の束にそれぞれ分け、２つに分けた一方のワイヤ素線の束を本線表面から所望の長さでそれぞれ切断し、切断後の第１切断ワイヤ素線の束を他方の第１非切断ワイヤ素線の束と共に前記の既知の編み込み方法の手順に沿ってワイヤロープの本線表面に通し、第１切断ワイヤ素線の束の切断端面をワイヤロープの本線内部の心綱の一部を抜いて生じた中空部内に差し込み、第１非切断ワイヤ素線の束のみを同既知の編み込み方法の手順に沿ってワイヤロープの本線表面から抜き出す半差し作業を所定回数繰り返した後、ワイヤロープの本線表面から外部に抜き出た６組の各第１非切断ワイヤ素線の束を１つに結束し、１つに結束した第３非切断ワイヤ素線の束を本線表面から所望の長さで切断し、切断後の第３切断ワイヤ素線の束の切断端面をワイヤロープの本線内部の心綱の一部を抜いて生じた中空部内に差し込むことにより製作されることを特徴とする手編み玉掛索の製作法。」（【特許請求の範囲】の【請求項２】）
ｂ）「【０００１】
　この発明は、ワイヤロープの先端を折り返して輪状にした手編み玉掛索の技術に係り、特に、ワイヤロープの先端を折り返して輪状を作るときにワイヤロープの本線の表面に現れる所謂ひげと呼ばれるワイヤ素線の切断端面が本線表面に現れないようにして、手編み玉掛索の本線の表面に現れる切断端面の所謂ひげによって手が切れたりするのを確実に防いで安全性を高めた手編み玉掛索の製作法及び手編み玉掛索に関するものである。
【背景技術】
【０００２】
　従来、手編み玉掛索の製作に使用されるワイヤロープは、心綱とその周囲に６組のストランドを六角状に配しこれを螺旋状により込んで作られている。また各ストランドは内部側を構成する複数のワイヤ素線の内層素線の束と内層素線の外周側に配された複数のワイヤ素線の外層素線の束とから構成されている。
　従来、ワイヤロープを用いて手編み玉掛索を製作する場合において、ワイヤロープの先端を折り返して輪状にする所謂アイ加工では、法規で定められた基準を守って、例えばかご差しや巻差しなどと呼ばれる特定の編み込み方法を用いて作られる。
　即ち、折り返した先端側をワイヤロープを構成する６組のストランドと心綱とをバラバラに分け、先端部分が折り返される基側となるワイヤロープの本線の６組のストランドによってより込まれている部分の特定の間に、きめられた順序で各ストランドを通し決まった間から抜き出して、ワイヤロープの端部側に輪状を作る。
　この後、輪状を作ってワイヤロープの本線表面から抜き出た６組のストランドの先端側を、編み込み方法の種類に決まっている順序で、本線の螺旋状により込まれたストランドの特定の間から通して、別の特定の間から抜き出す作業を最低３回以上繰り返す（これを「丸差し」という）。
　３回以上繰り返した後、本線の表面から外部に出ている６組の各ストランドの先端側を外層素線の束と内層素線の束とにそれぞれ分けると共に、本線の表面から外部に出ている６組の各内層素線の束を本線の表面位置で切断する。
　また、切断しなかった６組の各外層素線の束を前記の編み込み方法の種類に決まっている順序で、本線の螺旋状により込まれたストランドの特定の間から通して、別の特定の間から抜き出す作業を最低２回以上繰り返す（これを「半差し」という）。その後、本線の表面から外部に出ている６組の各外層素線の束を本線の表面位置で切断する。
　なお、各ストランド又は各外層素線の束をどの間から通して他のどの間から抜き出すかのこれらの作業手順は、編み込み方法の種類に決まっている。また、各工程の途中ではワイヤロープの本線表面はハンマで軽く均される。
　従来はこのような方法によりワイヤロープを用いて手編み玉掛索が作られている。
【発明の開示】
【発明が解決しようとする課題】
【０００３】
　しかしながら、従来の手編み玉掛索は、ワイヤロープの本線表面位置で切断された各内層素線や各外層素線の束が複数の強度のあるワイヤ素線の集まりであり、その切断端面の所謂ひげは鋭利になっていて、ひげに手が直接触ると手の表面を切ったりして非常に危険である。しかも、ひげの箇所は内層素線で６箇所、外層素線も６箇所あり、合計１２箇所のひげの箇所がワイヤロープの本線表面に分散しており、このため、ワイヤロープの本線表面を掴む場合には手袋をはめないと危険であった。
　また、従来の手編み玉掛索は、内層素線及び外層素線の束が当所は本線表面位置で切断されているが、ひげの箇所が分散されている本線部分を何回も折り曲げたりするうちに、ひげが本線表面から次第に一部突出し、突出するひげは場合によっては手袋を裂いて手を切ることもあり、非常に危険であった。
　さらに、従来の手編み玉掛索を引き抜く場合も、ひげがワイヤロープのより込み方向に対して反対向きになって本線表面からひげが起き上がるようになり、ひげが本線表面から一部突出し、突出するひげは場合によっては手袋を裂いて手を切ることもあり、非常に危険であった。
　さらにまた、チョーク吊りの場合、従来の手編み玉掛索１０１は、荷物１０４を巻いたワイヤロープ１０２の手編み部分が曲がり、多くのひげ１０３が出てより危険であった（図１１参照）。また手編みでない従来のロック加工の玉掛索１１１は、ひげの問題が生じない反面、チョーク吊りしワイヤロープ１１２を引き出す場合、ロック加工１１３の部分が荷物１１４に引っ掛かり、ワイヤロープ１１２を引き出しにくかった（図１２（Ａ）参照）。同様に、手編みでない従来のロック加工の玉掛索１１１は、ロック加工１１３の部分が荷物１１４に当たり、荷物１１４を傷付けることが多かった（図１２（Ｂ）参照）。
【０００４】
　この発明は、上記のような課題に鑑み、その課題を解決すべく創案されたものであって、その目的とするところは、手編み玉掛索の本線表面に現れる所謂ひげと呼ばれるワイヤ素線の切断端面が本線表面に現れないようにして、手編み玉掛索の本線の表面に現れる切断端面の所謂ひげによって手が切れたりするのを確実に防いで安全性を高めることのできる手編み玉掛索の製作法及び手編み玉掛索を提供することにある。」（段落【０００１】ないし【０００４】）
ｃ）「【００１０】
　以上の記載より明らかなように、この発明によれば、いずれも、ワイヤロープの本線に編み込んだワイヤ素線の束をワイヤロープの本線表面から所望の長さで切断し、切断後の切断ワイヤ素線の束の切断端面をワイヤロープの本線内部の心綱の一部を抜いて生じた中空部内に差し込むようにしたので、ワイヤ素線の束の切断端面の所謂ひげがワイヤロープの本線表面に現れるのを確実に防ぐことができる。これにより、手袋の装着が不要になると共にワイヤロープの本線表面を素手で直接掴んでも、手が切れることがなく安全であり、手編み玉掛索の取扱いが非常に安全に行うことができる。
　しかも、ワイヤ素線の束の切断端面はワイヤロープの本線内部の心綱の一部を抜いて生じた中空部内に差し込まれているので、手編み玉掛索のワイヤロープの本線を曲げても本線表面に所謂ひげが現れることがなく、同様に手編み玉掛索を引き抜く場合も、ひげがワイヤロープのより込み方向に対して反対向きになって本線表面からひげが起き上がるということもない。
　また、本願発明の方法により製作された手編み玉掛索は、強度試験の結果からも明らかなように、ワイヤロープの強度は従来の製作方法の場合と同一であり、手編み玉掛索としての強度は十分に確保されていて、安心して使用することができる等、極めて新規的有益なる効果を奏するものである。」（段落【００１０】）
ｄ）「【００１１】
　以下、図面に記載の発明を実施するための最良の形態に基づいて、この発明をより具体的に説明する。
【００１２】
　ワイヤロープを用いて手編み玉掛索を製作する方法においては、既知の編み込み方法、例えば巻差し方法、かご差し方法などを用いる。このうち、巻差し方法はワイヤロープの先端をストランドの単位に解いて、そのストランドをワイヤロープ本線のストランドの間に通して、本線のより方向と同方向に巻いて行く方法である。
　かご差し方法はワイヤロープの先端をストランドの単位に解いて、そのストランドをワイヤロープ本線のストランドの間に通して、本線のより方向と反対方向に巻いて行く方法である。
　既知の編み込み方法のかご差し方法の手順で、本願発明の手編み玉掛索を製作する方法について、以下説明する。
【００１３】
　かご差し方法の手順に沿って、先ずワイヤロープ１１の端部側に輪状１２を作る。
　ワイヤロープ１１の先端側を折り返し、折り返した先端側をワイヤロープ１１を構成する６組のストランド１〜６と心綱７とをバラバラに分け、先端部分が折り返される基側となるワイヤロープ１１の本線の６組のストランドＡ〜Ｆによってより込まれている部分の特定の間に、きめられた順序で各ストランド１〜６を通し決まった間から抜き出して、ワイヤロープ１１の端部側に輪状１２を作る。心綱７には例えば麻芯が使用される。
　図２に基づいて簡単に説明すると、以下の手順で行われる。
（１）ストランド１をワイヤロープ１１の本線１１ａ側のストランドＡ・Ｆの間から心綱７の左を通してストランドＢ・Ｃの間に抜く。
（２）ストランド２をワイヤロープ１１の本線１１ａ側のストランドＡ・Ｆの間から心綱７の左を通してストランドＣ・Ｄの間に抜く。
（３）ストランド３をワイヤロープ１１の本線１１ａ側のストランドＡ・Ｆの間から心綱７の右を通してストランドＤ・Ｅの間に抜く。
（４）ストランド４をワイヤロープ１１の本線１１ａ側のストランドＡ・Ｆの間から心綱７の右を通してストランドＥ・Ｆの間に抜く。通したストランド４を締め込む。
（５）ストランドＡ・Ｆの間からストランドＢ・Ｃの間にスパイキを差してストランドＡ・Ｆの間に心綱７を入れる。
（６）ストランド５をワイヤロープ１１の本線１１ａ側のストランドＡ・Ｂの間から通してストランドＡ・Ｆの間に抜く。ストランドＡ〜Ｆのよりを戻す。
（７）ストランド６をワイヤロープ１１の本線１１ａ側のストランドＢ・Ｃの間から通してストランドＡ・Ｂの間に抜く。ストランドＡ〜Ｆのよりを戻す。ハンマで軽く均す。
　以上の手順でワイヤロープ１１の端部側には輪状１２が作られる。
【００１４】
　次に、かご差し方法の手順に沿って、ワイヤロープ１１を構成する６組のストランド１〜６の先端側をワイヤロープ１１の本線１１ａの表面に通して抜き出す丸差し作業を所定回数、例えば３回繰り返して行う。日本国の法規では３回以上が要求されている。
　図２に基づいて簡単に説明すると、以下の手順で行われる。
（１回差し）
（８）ストランド１をワイヤロープ１１の本線１１ａ側のストランドＣ・Ｄの間から心綱７の左を通してストランドＥ・Ｆの間に抜く。
（９）ストランド２をワイヤロープ１１の本線１１ａ側のストランドＤ・Ｅの間から通してストランドＡ・Ｆの間に抜く。
（10）ストランド３をワイヤロープ１１の本線１１ａ側のストランドＥ・Ｆの間から通してストランドＡ・Ｂの間に抜く。
（11）ストランド４をワイヤロープ１１の本線１１ａ側のストランドＡ・Ｆの間から通してストランドＢ・Ｃの間に抜く。
（12）ストランド５をワイヤロープ１１の本線１１ａ側のストランドＡ・Ｂの間から通してストランドＣ・Ｄの間に抜く。ストランドＡ〜Ｆのよりを戻す。
（13）ストランド６をワイヤロープ１１の本線１１ａ側のストランドＢ・Ｃの間から通してストランドＤ・Ｅの間に抜く。ハンマで軽く均す。
　以上で１回差しが終了し、この作業を後２回続ける。
　合計３回繰り返すことにより、丸差しは終わり、心綱７を切断する。
【００１５】
　続いて、本願発明の特徴のある手順に入る。
　ワイヤロープ１１の本線１１ａの表面から外部に抜き出た６組の各ストランド１〜６を２つのワイヤ素線１ａ〜６ａ、１ｂ〜６ｂの束、例えば内層素線１ａ〜６ａの束と、外層素線１ｂ〜６ｂの束とに２分する。
　２つに分けた一方のワイヤ素線の束例えば内層素線１ａ〜６ａの束を本線１１ａの表面から所望の長さでそれぞれ切断する。所望の長さとは本線１１ａの内部の心綱７の一部を抜いて生じた中空部１１ｂ内に十分に差し込むことができる長さである。
　切断後の第１切断ワイヤ素線１ａ〜６ａの束を他方の第１非切断ワイヤ素線１ｂ〜６ｂの束つまり外層素線１ｂ〜６ｂの束と共に、前記のかご差し方法の手順（８）〜（13）に沿って、ワイヤロープ１１の本線１１ａの表面に通す。
　このとき、第１切断ワイヤ素線１ａ〜６ａの束は、その切断端面１６Ｘをワイヤロープ１１の本線１１ａの内部の心綱７の一部を抜いて生じた中空部１１ｂ内に差し込む。
　そして、第１非切断ワイヤ素線１ｂ〜６ｂの束のみを前記のかご差し方法の手順（８）〜（13）に沿って、ワイヤロープ１１の本線１１ａの表面から抜き出す半差し作業を所定回数、例えば２回繰り返す。前記の丸差し作業が３回の場合には日本国の法規では半差し作業は２回以上が要求されている。このとき、前記の丸差し作業が４回の場合には日本国の法規では半差し作業は１回以上が要求されるため、１回でよいことになる。
【００１６】
　第１非切断ワイヤ素線１ｂ〜６ｂの束のみを半差し２回作業を行った後、ワイヤロープ１１の本線１１ａの表面から外部に抜き出た６組の各第１非切断ワイヤ素線１ｂ〜６ｂの束を１つに結束し、１つに結束した第３非切断ワイヤ素線１６ｃの束を本線１１ａの表面から所望の長さで切断する。所望の長さとは本線１１ａの内部の心綱７の一部を抜いて生じた中空部１１ｂ内に十分に差し込むことができる長さである。切断後の第３切断ワイヤ素線１６ｃの束の切断端面１６Ｘをワイヤロープ１１の本線１１ａ内部の心綱７の一部を抜いて生じた中空部１１ｂ内に差し込むことにより製作される。なお、請求項１記載の第２切断ワイヤ素線は切断後の第３切断ワイヤ素線１６ｃに該当する。」（段落【００１１】ないし【００１６】）
ｅ）「【００１９】
　なお、この発明は上記発明を実施するための最良の形態に限定されるものではなく、この発明の精神を逸脱しない範囲で種々の改変をなし得ることは勿論である。前記の発明を実施するための最良の形態においては、既知の編み込み方法としてかご差し方法の手順に沿って説明したがこれに限定されるものではなく、例えば巻差し方法、などを用いてもよい。」（段落【００１９】）
　イ　刊行物２に記載の技術事項
　上記アａ）ないしｅ）（特に、ｅ）の段落【００１９】の記載）及び図１ないし５の記載によれば、刊行物２には、次のとおりの技術事項（以下、「刊行物２に記載の技術事項」という。）が記載されている。
「所定の編み込み方法の丸差しによる編み込み工程と、所定の編み込み方法の半差しによる編み込み工程とを含む、ワイヤロープを用いて玉掛索を製作する方法において、各編み込み工程における所定の編み込み方法を、巻差し及びかご差しの何れか一方の編み込み方法から他方の編み込み方法へ置き換え可能であること。」
３．対比
　本願補正発明１（以下、「前者１」ともいう。）と引用発明１（以下、「後者１」ともいう。）とを、その機能、構造又は技術的意義を考慮して対比する。
・後者１における「ワイヤロープ」は、前者１における「ワイヤロープ」に相当し、以下同様に、「ストランド」は「ストランド」に、「束ストランド」は「束ストランド」に、「束ストランド形成工程」は「束ストランド形成工程」に、「内層線の細束」は「第１細束」に、「外層線の細束」は「第２細束」に、「細束ストランド」は「細束ストランド」に、「細束ストランド形成工程」は「細束ストランド形成工程」に、「内層線切断工程」は「第１細束切断工程」に、「撚り束ストランド」は「撚り束ストランド」に、「芯部空隙中心」は「芯部領域中心」に、「内層線先端押込み工程」は「第１細束先端押込み工程」に、「外層線切断工程」は「第２細束切断工程」に、「２組ずつ束ねて」は「２組或は３組ずつ束ねて」に、「芯部空隙中」は「芯部領域の空隙中」に、「外層線先端押込み工程」は「第２細束先端押込み工程」に、「トゲのないワイヤロープの玉掛索製造方法」は「トゲのないワイヤロープの玉掛索製造方法」に、それぞれ相当する。
・後者１における「巻差し工程」は、前者１における「かご差しの第１編み込み工程」に、「所定の編み込み方法の第１編み込み工程」という限りにおいて、相当する。
　そして、後者１における「束ストランド形成工程終了後に、ワイヤロープのループ部基端とすべき位置において、撚られた各ストランドの間に６組の束ストランドをそれぞれ別々にワイヤロープの撚り方向と同じ方向に差し込んでワイヤロープ周面から突出させる編み込み作業を複数回行う巻差し工程」は、前者１における「束ストランド形成工程終了後に、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しの第１編み込み工程」に、「束ストランド形成工程終了後に、ワイヤロープのループ部基端とすべき位置において、撚られた各ストランドの間に６組の束ストランドをそれぞれ別々にワイヤロープの撚り方向と所定関係の方向に差し込んでワイヤロープ周面から突出させる編み込み作業を複数回行う所定の編み込み方法の第１編み込み工程」という限りにおいて、相当する。
・後者１における「かご差し工程」は、前者１における「巻差しの第２編み込み工程」に、「所定の編み込み方法の第２編み込み工程」という限りにおいて、相当する。
　そして、後者１における「巻差し工程終了後に、撚られた各ストランドの間に差し込んだ前記６組の束ストランドをそれぞれ別々にワイヤロープの撚り方向と逆の方向に差し込んでワイヤロープ周面から突出させる編み込み作業を行うかご差し工程」は、前者１における「第１編み込み工程終了後に、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しの第２編み込み工程」に、「第１編み込み工程終了後に、撚られた各ストランドの間に差し込んだ前記６組の束ストランドをそれぞれ別々にワイヤロープの撚り方向と所定関係の方向に差し込んでワイヤロープ周面から突出させる編み込み作業を行う所定の編み込み方法の第２編み込み工程」という限りにおいて相当する。
・後者１における「半差しによる細束ストランドかご差し工程」は、前者１における「巻差しの第３半差し編み込み工程」に、「所定の編み込み方法の第３半差し編み込み工程」という限りにおいて相当する。
　そして、後者１における「内層線先端押込み工程終了後に、外層線の細束よりなる６組の細束ストランドをワイヤロープの撚られた各ストランドの間にワイヤロープの撚り方向と逆の方向に差し込んでワイヤロープ周面から突出させる編み込み作業を複数回行う半差しによる細束ストランドかご差し工程」は、前者１における「第１細束先端押込み工程終了後に、第２細束よりなる６組の細束ストランドをワイヤロープの撚られた各ストランドの間にワイヤロープの撚り方向と同じ方向に差し込んでワイヤロープ周面から突出させる編み込み作業を複数回行う巻差しの第３半差し編み込み工程」に、「第１細束先端押込み工程終了後に、第２細束よりなる６組の細束ストランドをワイヤロープの撚られた各ストランドの間にワイヤロープの撚り方向と所定関係の方向に差し込んでワイヤロープ周面から突出させる編み込み作業を複数回行う所定の編み込み方法の第３半差し編み込み工程」という限りにおいて相当する。
　したがって、両者は、
「予め折り曲げられたワイヤロープ本体の自由端をストランド毎にばらばらに解舒してワイヤロープ先端部分に６組の束ストランドに形成する束ストランド形成工程と、
　束ストランド形成工程終了後に、ワイヤロープのループ部基端とすべき位置において、撚られた各ストランドの間に６組の束ストランドをそれぞれ別々にワイヤロープの撚り方向と所定関係の方向に差し込んでワイヤロープ周面から突出させる編み込み作業を複数回行う所定の編み込み方法の第１編み込み工程と、
　第１編み込み工程終了後に、撚られた各ストランドの間に差し込んだ前記６組の束ストランドをそれぞれ別々にワイヤロープの撚り方向と所定関係の方向に差し込んでワイヤロープ周面から突出させる編み込み作業を行う所定の編み込み方法の第２編み込み工程と、
　第２編み込み工程終了後に、突出した６組の各束ストランドの先端を更にそれぞれ２組の細束に分割し、第１細束と第２細束とし、合計で１２組の細束ストランドを形成する細束ストランド形成工程と、
　細束ストランド形成工程終了後に、第１細束よりなる６組の細束ストランドの突出先端を切断する第１細束切断工程と、
　第１細束切断工程終了後に、切断した第１細束である６組の細束ストランドの先端をワイヤロープの撚り束ストランドの中心に形成された芯部領域中心に押込む第１細束先端押込み工程と、
　第１細束先端押込み工程終了後に、第２細束よりなる６組の細束ストランドをワイヤロープの撚られた各ストランドの間にワイヤロープの撚り方向と所定関係の方向に差し込んでワイヤロープ周面から突出させる編み込み作業を複数回行う所定の編み込み方法の第３半差し編み込み工程と、
　第３半差し編み込み工程終了後に、突出した第２細束たる６組の各細束ストランドの突出先端を切断する第２細束切断工程と、
　第２細束切断工程終了後に、切断した第２細束たる６組の細束ストランドの先端を、２組或は３組ずつ束ねてワイヤロープの撚りストランドの中心の芯部領域の空隙中に押込む第２細束先端押込み工程とよりなるトゲのないワイヤロープの玉掛索製造方法。」の点で一致し、以下の点で相違している。
［相違点１］
　所定の編み込み方法の第１編み込み工程に関し、本願補正発明１においては、「束ストランド形成工程終了後に、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しの第１編み込み工程」であるのに対して、引用発明１においては、「束ストランド形成工程終了後に、ワイヤロープのループ部基端とすべき位置において、撚られた各ストランドの間に６組の束ストランドをそれぞれ別々にワイヤロープの撚り方向と同じ方向に差し込んでワイヤロープ周面から突出させる編み込み作業を複数回行う巻差し工程」である点（以下、「相違点１」という。）。
［相違点２］
　所定の編み込み方法の第２編み込み工程に関し、本願補正発明１においては、「第１編み込み工程終了後に、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しの第２編み込み工程」であるのに対して、引用発明１においては、「巻差し工程終了後に、撚られた各ストランドの間に差し込んだ前記６組の束ストランドをそれぞれ別々にワイヤロープの撚り方向と逆の方向に差し込んでワイヤロープ周面から突出させる編み込み作業を行うかご差し工程」である点。（以下、「相違点２」という。）。
［相違点３］
　所定の編み込み方法の第３半差し編み込み工程に関し、本願補正発明１においては、「第１細束先端押込み工程終了後に、第２細束よりなる６組の細束ストランドをワイヤロープの撚られた各ストランドの間にワイヤロープの撚り方向と同じ方向に差し込んでワイヤロープ周面から突出させる編み込み作業を複数回行う巻差しの第３半差し編み込み工程」であるのに対して、引用発明１においては、「内層線先端押込み工程終了後に、外層線の細束よりなる６組の細束ストランドをワイヤロープの撚られた各ストランドの間にワイヤロープの撚り方向と逆の方向に差し込んでワイヤロープ周面から突出させる編み込み作業を複数回行う細束ストランドかご差し工程」である点。（以下、「相違点３」という。）。
４．判断
　上記相違点について検討する。
［相違点１ないし３について］
　刊行物２に記載の技術事項によれば、所定の編み込み方法の丸差しによる編み込み工程と、所定の編み込み方法の半差しによる編み込み工程とを含む、ワイヤロープを用いて玉掛索を製作する方法において、各編み込み工程における所定の編み込み方法を、巻差し及びかご差しの何れか一方の編み込み方法から他方の編み込み方法へ置き換え可能である。
　一方、引用発明１において、「編み込み作業を複数回行う巻差し工程」、「編み込み作業を行うかご差し工程」及び「編み込み作業を複数回行う半差しによる細束ストランドかご差し工程」を含むところ、刊行物１の段落［０００７］及び［０００８］の記載によれば、「編み込み作業を複数回行う巻差し工程」及び「編み込み作業を行うかご差し工程」は、丸差しによる編み込み工程といえ、また、「編み込み作業を複数回行う半差しによる細束ストランドかご差し工程」は、半差しによる編み込み工程といえる。
　そうすると、引用発明１において、刊行物２に記載の技術事項を考慮すると、「編み込み作業を複数回行う巻差し工程」をかご差しの工程にし、「編み込み作業を行うかご差し工程」を巻差しの工程にし、さらに、「編み込み作業を複数回行う細束ストランドかご差し工程」を巻差しの工程にして、上記相違点１ないし３に係る本願補正発明１の発明特定事項とすることは、当業者が容易になし得たことである。
　そして、本願補正発明１は、全体としてみても、引用発明１及び刊行物２に記載の技術事項から予測される以上の格別な効果を奏するものではない。
　したがって、本願補正発明１は、引用発明１及び刊行物２に記載の技術事項に基づいて当業者が容易に発明をすることができたものであるから、特許法第２９条第２項の規定により特許出願の際独立して特許を受けることができないものである。
〔４〕本願補正発明２の独立特許要件について
１．本願補正発明２
　本願補正発明２は、平成２６年５月１２日に提出された手続補正書により補正された特許請求の範囲の請求項６に記載された事項により特定されるものであるところ、上記〔１〕（Ｂ）の請求項６に示したとおりのものである。
２．引用刊行物
（１）刊行物１
　ア　刊行物１の記載事項
　刊行物１（国際公開第２００９／０９３６４８号）の記載事項は、上記〔３〕２．（１）アに示したとおりである。
　イ　刊行物１に記載の技術事項
　上記〔３〕２．（１） アｂ）、ｄ）（特に、段落［０１１８］及び［０１１９］）及びｅ）並びに図１３及び１８に記載によれば、刊行物１には、次のとおりの技術事項（以下、「刊行物１に記載の技術事項」という。）が記載されている。
「外層線切断工程終了後に、切断した外層線の細束たる６組の細束ストランドの先端を、トゲとしてワイヤロープの外部に突出できないように完全に封入するために、ワイヤロープの撚りストランドの中心の芯部空隙中に押込む外層線先端押込み工程を備えたワイヤロープの玉掛索製造方法において、６組の細束ストランドの先端を、ワイヤロープの撚りストランドの中心の芯部空隙中に押込むにあたり、２組ずつ束ねるか、ばらばらの状態とするか、或いは、１つに束ねるかは任意であること。」
（２）刊行物２
  ア　刊行物２の記載事項
　刊行物２（特開２００６−２９１３８７号公報）の記載事項は、上記〔３〕２．（２）アに示したとおりである。
　イ　刊行物２の記載事項及び図面の記載から分かること
ａ）上記〔３〕２．（２）アｂ）及びｄ）（特に、段落【００１２】及び【００１３】）並びに図１の記載によれば、ワイヤロープを用いて手編み玉掛索を製作する方法は、予め折り曲げられたワイヤロープ１１の先端側をストランド毎にばらばらに解いてワイヤロープ１１の先端部分に６組の束ストランド１〜６に形成する束ストランドの形成工程を備えることが分かる。
ｂ）上記〔３〕２．（２）アａ）、ｂ）及びｄ）（特に、段落【００１３】及び【００１４】）並びに図２の記載によれば、ワイヤロープを用いて手編み玉掛索を製作する方法は、束ストランドの形成工程終了後に、ワイヤロープ１１の先端部分が折り返される基側となる部分の特定の間において、撚られた各ストランドＡ〜Ｆの間に６組の束ストランド１〜６をそれぞれ別々にワイヤロープの撚り方向と逆の方向に差し込んでワイヤロープ１１の本線１１ａの表面から突出させる丸差し作業を複数回行うかご差しの第１の編み込み工程、及び、第１の丸差し作業工程終了後に、撚られた各ストランドＡ〜Ｆの間に差し込んだ前記６組の束ストランド１〜６をそれぞれ別々にワイヤロープ１１の撚り方向と逆の方向に差し込んでワイヤロープ１１の本線１１ａの表面から突出させる丸差し作業を行うかご差しの第２の編み込み工程を備えることが分かる。
　ここで、刊行物２の段落【００１４】には、かご差しによる丸差し作業を３回繰り返して行うかご差しの編み込み工程が記載されているところ、前２回までのかご差し編み込み工程を、かご差しの第１の編み込み工程といい、それに続く１回のかご差し編み込み工程を、かご差しの第２の編み込み工程ということができる。
ｃ）上記〔３〕２．（２）アａ）、ｂ）及びｄ）（特に、段落【００１５】）並びに図３の記載によれば、ワイヤロープを用いて手編み玉掛索を製作する方法は、第２の丸差し作業工程終了後に、突出した６組の各束ストランド１〜６の先端を更にそれぞれ２組の細束に分割し、内層素線１ａ〜６ａの束と外層素線１ｂ〜６ｂの束とし、合計で１２組の細束ストランドを形成する細束ストランドの形成工程を備えることが分かる。
ｄ）上記〔３〕２．（２）アａ）、ｂ）及びｄ）（特に、段落【００１５】）並びに図３の記載によれば、ワイヤロープを用いて手編み玉掛索を製作する方法は、細束ストランドの形成工程終了後に、内層素線１ａ〜６ａの束よりなる６組の細束ストランドの突出先端を切断する第１の細束切断工程を備えることが分かる。
ｅ）上記〔３〕２．（２）アａ）、ｃ）及びｄ）（特に、段落【００１５】）によれば、ワイヤロープを用いて手編み玉掛索を製作する方法は、第１の細束切断工程終了後に、切断した内層素線１ａ〜６ａの束である６組の細束ストランドの先端をワイヤロープ１１の撚り束ストランドＡ〜Ｆの中心に形成された中空部１１ｂに押込む第１の細束先端の押込み工程を備えることが分かる。
ｆ）上記〔３〕２．（２）アａ）及びｄ）（特に、段落【００１５】）によれば、ワイヤロープを用いて手編み玉掛索を製作する方法は、第１の細束先端の押込み工程終了後に、外層素線１ｂ〜６ｂの束よりなる６組の細束ストランドをワイヤロープの撚られた各ストランドＡ〜Ｆの間にワイヤロープ１１の撚り方向と逆の方向に差し込んでワイヤロープ１１の本線１１ａの表面から突出させる半差し作業を複数回行うかご差しの第３の編み込み工程を備えることが分かる。
ｇ）上記〔３〕２．（２）アａ）及びｄ）（特に、段落【００１６】）並びに図４の記載によれば、ワイヤロープを用いて手編み玉掛索を製作する方法は、第３の編み込み工程終了後に、突出した外層素線１ｂ〜６ｂの束たる６組の各細束ストランドの突出先端を切断する第２の細束切断工程を備えることが分かる。
ｈ）上記〔３〕２．（２）アａ）、ｃ）及びｄ）（特に、段落【００１６】）並びに図４の記載によれば、ワイヤロープを用いて手編み玉掛索を製作する方法は、第２の細束切断工程終了後に、切断した外層素線１ｂ〜６ｂの束たる６組の細束ストランドの先端を、１つに結束してワイヤロープ１１の撚りストランドＡ〜Ｆの中心の中空部１１ｂの空隙中に押込む第２の細束先端の押込み工程を備えることが分かる。
ｉ）上記〔３〕２．（２）アａ）、ｂ）、ｃ）及びｄ）並びに図５の記載によれば、ワイヤロープを用いて手編み玉掛索を製作する方法は、ひげのないワイヤロープを用いて手編み玉掛索を製作する方法であることが分かる。
　ウ　引用発明２
　上記ア及びイを総合して、本願補正発明２の表現に倣って整理すると、刊行物２には、次の事項からなる発明（以下「引用発明２」という。）が記載されていると認める。
「予め折り曲げられたワイヤロープ１１の先端側をストランド毎にばらばらに解いてワイヤロープ１１の先端部分に６組の束ストランド１〜６に形成する束ストランドの形成工程と、
　束ストランドの形成工程終了後に、ワイヤロープ１１の先端部分が折り返される基側となる部分の特定の間において、撚られた各ストランドＡ〜Ｆの間に６組の束ストランド１〜６をそれぞれ別々にワイヤロープ１１の撚り方向と逆の方向に差し込んでワイヤロープ１１の本線１１ａの表面から突出させる丸差し作業を複数回行うかご差しの第１の編み込み工程と、
　第１の編み込み工程終了後に、撚られた各ストランドＡ〜Ｆの間に差し込んだ前記６組の束ストランド１〜６をそれぞれ別々にワイヤロープ１１の撚り方向と逆の方向に差し込んでワイヤロープ１１の本線１１ａの表面から突出させる丸差し作業を行うかご差しの第２の編み込み工程と、
　第２の編み込み工程終了後に、突出した６組の各束ストランド１〜６の先端を更にそれぞれ２組の細束に分割し、内層素線１ａ〜６ａの束と外層素線１ｂ〜６ｂの束とし、合計で１２組の細束ストランドを形成する細束ストランドの形成工程と、
　細束ストランドの形成工程終了後に、内層素線１ａ〜６ａの束よりなる６組の細束ストランドの突出先端を切断する第１の細束切断工程と、
　第１の細束切断工程終了後に、切断した内層素線１ａ〜６ａの束である６組の細束ストランドの先端をワイヤロープ１１の撚り束ストランドＡ〜Ｆの中心に形成された中空部１１ｂに押込む第１の細束先端の押込み工程と、
　第１の細束先端の押込み工程終了後に、外層素線１ｂ〜６ｂの束よりなる６組の細束ストランドをワイヤロープ１１の撚られた各ストランドＡ〜Ｆの間にワイヤロープ１１の撚り方向と逆の方向に差し込んでワイヤロープ１１の本線１１ａの表面から突出させる半差し作業を複数回行うかご差しの第３の編み込み工程と、
　第３の編み込み工程終了後に、突出した外層素線１ｂ〜６ｂの束たる６組の各細束ストランドの突出先端を切断する第２の細束切断工程と、
　第２の細束切断工程終了後に、切断した外層素線１ｂ〜６ｂの束たる６組の細束ストランドの先端を、１つに結束してワイヤロープ１１の撚りストランドＡ〜Ｆの中心の中空部１１ｂの空隙中に押込む第２の細束先端の押込み工程とよりなる
　ひげのないワイヤロープを用いて手編み玉掛索を製作する方法。」
３．対比
　本願補正発明２（以下、「前者２」ともいう。）と引用発明２（以下、「後者２」ともいう。）とを、その機能、構造又は技術的意義を考慮して対比する。
・後者２における「ワイヤロープ１１」は、前者２における「ワイヤロープ本体」及び「ワイヤロープ」に相当し、以下同様に、「ワイヤロープ１１の先端側」は「ワイヤロープ本体の自由端」に、「ストランド毎にばらばらに解いて」は「ストランド毎にばらばらに解舒して」に、「ワイヤロープ１１の先端部分」は「ワイヤロープ先端部分」に、「束ストランド１〜６」は「束ストランド」に、「束ストランドの形成工程」は「束ストランド形成工程」に、「ワイヤロープ１１の先端部分が折り返される基側となる部分の特定の間」は「ワイヤロープのループ部基端とすべき位置」に、「撚られた各ストランドＡ〜Ｆ」は「撚られた各ストランド」に、「ワイヤロープ１１の本線１１ａの表面」は「ワイヤロープ周面」に、「丸差し作業」は「編み込み作業」に、「かご差し」は「かご差し」に、「第１の編み込み工程」は「第１編み込み工程」に、「第２の編み込み工程」は「第２編み込み工程」に、「突出した６組の各束ストランド１〜６の先端」は「突出した６組の各束ストランドの先端」に、「内層素線１ａ〜６ａの束」は「第１細束」に、「外層素線１ｂ〜６ｂの束」は「第２細束」に、「細束ストランド」は「細束ストランド」に、「細束ストランドの形成工程」は「細束ストランド形成工程」に、「内層素線１ａ〜６ａの束よりなる６組の細束ストランドの突出先端」は「第１細束よりなる６組の細束ストランドの突出先端」に、「第１の細束切断工程」は「第１細束切断工程」に、「切断した内層素線１ａ〜６ａの束である６組の細束ストランドの先端」は「切断した第１細束である６組の細束ストランドの先端」に、「ワイヤロープ１１の撚り束ストランドＡ〜Ｆの中心に形成された中空部１１ｂ」は「ワイヤロープの撚り束ストランドの中心に形成された芯部領域中心」に、「第１の細束先端の押込み工程」は「第１細束先端押込み工程」に、「半差し作業」は「編み込み作業」に、「第３の編み込み工程」は「第３半差し編み込み工程」に、「突出した外層素線１ｂ〜６ｂの束たる６組の各細束ストランドの突出先端」は「突出した第２細束たる６組の各細束ストランドの突出先端」に、「第２の細束切断工程」は「第２細束切断工程」に、「切断した外層素線１ｂ〜６ｂの束たる６組の細束ストランドの先端」は「切断した第２細束たる６組の細束ストランドの先端」に、「ワイヤロープ１１の撚りストランドＡ〜Ｆの中心の中空部１１ｂの空隙中」は「ワイヤロープの撚りストランドの中心の芯部領域の空隙中」に、「第２の細束先端の押込み工程」は「第２細束先端押込み工程」に、「ひげのないワイヤロープを用いて手編み玉掛索を製作する方法」は「トゲのないワイヤロープの玉掛索製造方法」に、それぞれ相当する。
・後者２における「第２の細束切断工程終了後に、切断した外層素線１ｂ〜６ｂの束たる６組の細束ストランドの先端を、１つに結束してワイヤロープ１１の撚りストランドＡ〜Ｆの中心の中空部１１ｂの空隙中に押込む第２の細束先端の押込み工程」は、前者２における「第２細束切断工程終了後に、切断した第２細束たる６組の細束ストランドの先端を、２組或は３組ずつ束ねてワイヤロープの撚りストランドの中心の芯部領域の空隙中に押込む第２細束先端押込み工程」に、「第２細束切断工程終了後に、切断した第２細束たる６組の細束ストランドの先端を、所定の状態に束ねてワイヤロープの撚りストランドの中心の芯部領域の空隙中に押込む第２細束先端押込み工程」という限りにおいて相当する。
　したがって、両者は、
「予め折り曲げられたワイヤロープ本体の自由端をストランド毎にばらばらに解舒してワイヤロープ先端部分に６組の束ストランドに形成する束ストランド形成工程と、
　束ストランド形成工程終了後に、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しの第１編み込み工程と、
　第１編み込み工程終了後に、撚られた各ストランドの間に差し込んだ前記６組の束ストランドをそれぞれ別々にワイヤロープの撚り方向と逆の方向に差し込んでワイヤロープ周面から突出させる編み込み作業を行うかご差しの第２編み込み工程と、
　第２編み込み工程終了後に、突出した６組の各束ストランドの先端を更にそれぞれ２組の細束に分割し、第１細束と第２細束とし、合計で１２組の細束ストランドを形成する細束ストランド形成工程と、
　細束ストランド形成工程終了後に、第１細束よりなる６組の細束ストランドの突出先端を切断する第１細束切断工程と、
　第１細束切断工程終了後に、切断した第１細束である６組の細束ストランドの先端をワイヤロープの撚り束ストランドの中心に形成された芯部領域中心に押込む第１細束先端押込み工程と、
　第１細束先端押込み工程終了後に、第２細束よりなる６組の細束ストランドをワイヤロープの撚られた各ストランドの間にワイヤロープの撚り方向と逆の方向に差し込んでワイヤロープ周面から突出させる編み込み作業を複数回行うかご差しの第３半差し編み込み工程と、
　第３半差し編み込み工程終了後に、突出した第２細束たる６組の各細束ストランドの突出先端を切断する第２細束切断工程と、
　第２細束切断工程終了後に、切断した第２細束たる６組の細束ストランドの先端を、所定の状態に束ねてワイヤロープの撚りストランドの中心の芯部領域の空隙中に押込む第２細束先端押込み工程とよりなる
　トゲのないワイヤロープの玉掛索製造方法。」の点で一致し、以下の点で相違している。
［相違点］
　第２細束先端押込み工程に関し、本願補正発明２においては、「第２細束切断工程終了後に、切断した第２細束たる６組の細束ストランドの先端を、２組或は３組ずつ束ねてワイヤロープの撚りストランドの中心の芯部領域の空隙中に押込む第２細束先端押込み工程」であるのに対して、引用発明２においては、「第２の細束切断工程終了後に、切断した外層素線１ｂ〜６ｂの束たる６組の細束ストランドの先端を、１つに結束してワイヤロープ１１の撚りストランドＡ〜Ｆの中心の中空部１１ｂの空隙中に押込む第２の細束先端の押込み工程」であり、切断した第２細束たる６組の細束ストランドの先端を、２組或は３組ずつ束ねることに相当する構成を備えていない点。
４．判断
　上記相違点について検討する。
　刊行物１に記載の技術事項によれば、外層線切断工程終了後に、切断した外層線の細束たる６組の細束ストランドの先端を、トゲとしてワイヤロープの外部に突出できないように完全に封入するために、ワイヤロープの撚りストランドの中心の芯部空隙中に押込む外層線先端押込み工程を備えたワイヤロープの玉掛索製造方法において、６組の細束ストランドの先端を、ワイヤロープの撚りストランドの中心の芯部空隙中に押込むにあたり、２組ずつ束ねるか、ばらばらの状態とするか、或いは、１つに束ねるかは任意に選択し得ることである。
　そうすると、引用発明２において、第２の細束切断工程終了後に、切断した外層素線１ｂ〜６ｂの束たる６組の細束ストランドの先端を、１つに結束してワイヤロープ１１の撚りストランドＡ〜Ｆの中心の中空部１１ｂの空隙中に押込む第２の細束先端の押込み工程を備えるところ、刊行物１に記載の技術事項を考慮して、６組の細束ストランドの先端を、２組ずつ束ねてワイヤロープ１１の撚りストランドＡ〜Ｆの中心の中空部１１ｂの空隙中に押込むようにすること、すなわち、上記相違点に係る本願補正発明２の発明特定事項とすることは、当業者が容易になし得たことである。
　そして、本願補正発明２は、全体としてみても、引用発明２及び刊行物１に記載の技術事項から予測される以上の格別な効果を奏するものではない。
　したがって、本願補正発明２は、引用発明２及び刊行物１に記載の技術事項に基づいて当業者が容易に発明をすることができたものであるから、特許法第２９条第２項の規定により特許出願の際独立して特許を受けることができないものである。
〔５〕むすび
　以上のとおり、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、［補正の却下の決定の結論］のとおり決定する。
第３　本願発明について
１．本願発明
　本件補正は上記のとおり却下されたので、本件出願の請求項１を引用する請求項２をさらに引用する請求項９に係る発明（以下、同項記載の発明を「本願発明１」という。）は、本件出願の願書に最初に添付された特許請求の範囲の請求項１を引用する請求項２をさらに引用する請求項９に記載された事項により特定されるものであるところ、前記第２［理由］〔１〕（Ａ）に示されたとおりのものである。
　また、本件出願の請求項１を引用する請求項７をさらに引用する請求項９に係る発明（以下、同項記載の発明を「本願発明２」という。）は、本件出願の願書に最初に添付された特許請求の範囲の請求項１を引用する請求項７をさらに引用する請求項９に記載された事項により特定されるものであるところ、前記第２［理由］〔１〕（Ａ）に示されたとおりのものである。
２．刊行物
　原査定の拒絶の理由に引用された刊行物１及びその記載事項、並びに、引用発明１は、前記第２［理由］〔３〕２．（１）に記載したとおりであり、原査定の拒絶の理由に引用された刊行物２及びその記載事項、並びに、刊行物２に記載の技術事項は、前記第２［理由］〔３〕２．（２）に記載したとおりであり、刊行物１に記載の技術事項は、前記第２［理由］〔４〕２．（１）に記載したとおりであり、さらに、引用発明２は、前記第２［理由］〔４〕２．（２）に記載したとおりである。
３．対比・判断
  本願発明１は、前記第２［理由］〔３〕で検討した本願補正発明１と同じ発明特定事項を備えるものであり、また、本願発明２は、前記第２［理由］〔４〕で検討した本願補正発明２と同じ発明特定事項を備えるものである。
　そうすると、本願補正発明１が、前記第２［理由］〔３〕に記載したとおり、引用発明１及び刊行物２に記載の技術事項に基づいて当業者が容易に発明をすることができたものであるから、本願発明１も、同様の理由により、引用発明１及び刊行物２に記載の技術事項に基づいて当業者が容易に発明をすることができたものであり、特許法第２９条第２項の規定により特許を受けることができない。
　また、本願補正発明２が、前記第２［理由］〔４〕に記載したとおり、引用発明２及び刊行物１に記載の技術事項に基づいて当業者が容易に発明をすることができたものであるから、本願発明２も、同様の理由により、引用発明２及び刊行物１に記載の技術事項に基づいて当業者が容易に発明をすることができたものであり、特許法第２９条第２項の規定により特許を受けることができない。
４．むすび
　以上のとおり、本願発明１及び本願発明２は、特許法第２９条第２項の規定により特許を受けることができないから、本件出願は拒絶すべきものである。
　よって、結論のとおり審決する。